(57)【要約】【課題】ユーザに適したサービスを提供する。【解決手段】ゲームを提供する制御部（２０１）と、ユーザが画像提供サイトの会員であるか否かを認証するための認証コードを取得する認証制御部（３１６）と、認証コードを用いて行われた認証の結果を取得する認証結果受信部（３１６Ｃ）とを備え、制御部（２０１）は、認証結果受信部（３１６Ｃ）が取得した認証結果に応じて、ゲームにおいてユーザに適用されるオプションを決定する。【選択図】図２０
2015179221.tif 000002
【特許請求の範囲】
【請求項１】
ユーザを被写体とする撮影で得られた撮影画像または該撮影画像を編集した編集画像である画像データを、画像データを管理する画像管理サービスを提供するサーバに送信する写真撮影編集装置であって、
少なくとも写真を撮影し、編集する工程を含むゲームを提供するゲーム提供手段と、
ユーザが上記画像管理サービスの会員であるか否かを認証するためのユーザ情報を取得するユーザ情報取得手段と、
上記ユーザ情報取得手段が取得した上記ユーザ情報を用いて行われた認証の結果を取得する認証結果取得手段と、を備え、
上記ゲーム提供手段は、上記認証結果取得手段が取得した上記認証の結果に応じて、上記ゲームにおいて上記ユーザに適用されるオプションを決定することを特徴とする写真撮影編集装置。
【請求項２】
ユーザ端末に表示された、上記ユーザ情報を画像パターンとして示す符号を撮影するカメラを備え、
上記符号は、上記サーバにて、上記ユーザが画像管理サービスを利用するための認証を受けていることを示す認証情報から生成され、上記ユーザ端末に対して発行されたものであり、
上記ユーザ情報取得手段は、上記カメラが撮影した上記符号から、上記符号が示す上記ユーザ情報を取得し、
上記認証結果取得手段は、上記認証結果として、上記ユーザ情報が上記認証情報と対応しているか否かを判定した結果を取得することを特徴とする、請求項１に記載の写真撮影編集装置。
【請求項３】
ユーザを被写体として撮影するカメラと、
上記カメラが撮影した上記ユーザの身体またはユーザの身体の一部の特徴量を抽出する特徴量抽出手段と、を備え、
上記ユーザ情報取得手段は、上記ユーザ情報として、上記特徴量抽出手段が抽出した上記特徴量を取得し、
上記認証結果取得手段は上記認証結果として、上記ユーザ情報と、予め登録された上記ユーザ固有の身体的特徴を示す画像認証情報とが合致するか否かを判定した結果を取得することを特徴とする、請求項１に記載の写真撮影編集装置。
【請求項４】
上記カメラは、上記画像データを得るため上記ユーザを撮影するカメラと別個に、上記写真撮影編集装置に設けられたカメラであることを特徴とする、請求項２または３に記載の写真撮影編集装置。
【請求項５】
上記カメラは、上記画像データを得るため上記ユーザを撮影するカメラであることを特徴とする、請求項２または３に記載の写真撮影編集装置。
【請求項６】
上記認証結果取得手段が上記認証結果として認証成功を示す情報を取得した回数を計測する認証回数計測手段を備え、
上記ゲーム提供手段は、上記認証回数計測手段が計測した上記回数に応じて、上記ユーザに適用されるオプションを決定することを特徴とする、請求項１から５のいずれか１項に記載の写真撮影編集装置。
【請求項７】
上記ユーザを被写体として撮影した画像に写っている人数を撮影人数として計測する撮影人数計測手段を備え、
上記ゲーム提供手段は、上記認証回数計測手段が計測した上記回数と、上記撮影人数計測手段が計測した上記撮影人数とに応じて、上記ユーザに適用されるオプションを決定することを特徴とする、請求項６に記載の写真撮影編集装置。
【請求項８】
請求項１から７のいずれか１項に記載の写真撮影編集装置において得られた上記画像データを管理する上記画像管理サービスを提供するサーバであって、
上記写真撮影編集装置から送信される上記ユーザ情報を受信するユーザ情報受信手段と、
上記ユーザ情報受信手段が受信した上記ユーザ情報を用いて、上記ユーザが上記画像管理サービスを利用するための認証を行う認証手段と、
上記認証手段が行った上記認証の結果を上記写真撮影編集装置に送信する認証結果送信手段と、を備えることを特徴とするサーバ。
【請求項９】
請求項１から７のいずれか１項に記載の写真撮影編集装置において得られた上記画像データを管理する上記画像管理サービスを提供するサーバであって、
上記画像データに含まれる１人または複数の人物の、身体または身体の一部の特徴量を抽出するサーバ特徴量抽出手段と、
上記サーバ特徴量抽出手段が抽出した上記特徴量のいずれかが、予め登録された上記ユーザ固有の身体的特徴を示す画像認証情報と合致するか否かを判定する人物判定手段と、
上記人物判定手段が、上記特徴量のいずれも上記画像認証情報と合致しないと判定した場合、上記ユーザに対し、上記画像データに上記ユーザが含まれていない旨を通知する通知手段と、を備えることを特徴とするサーバ。
【請求項１０】
請求項１から７のいずれか１項に記載の写真撮影編集装置としてコンピュータを機能させるための制御プログラムであって、コンピュータを上記各手段として機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、ユーザを被写体とする撮影で得られた撮影画像または該撮影画像を編集した編集画像である画像データを管理する画像管理サービスに係る写真撮影編集装置、サーバ、制御プログラム、および記録媒体に関する。
【背景技術】
【０００２】
近年の写真シール作成装置は、写真シール作成ゲームの種々の工程において、多様な機能およびサービスを提供している。中でも、撮影した画像をサーバに送信する機能を有した写真シール作成装置は多く、ユーザはサーバから、撮影した画像を画像データとしてダウンロードすることができる。
【０００３】
さらに近年、撮影した画像のデータを保存および閲覧するにあたり、会員登録制のウェブサイトを利用することが増えてきている。この場合、ユーザはまずウェブサイトの会員登録を行っておき、写真シール作成装置にて写真撮影すると、撮影した画像のデータを、上記ウェブサイトに保存する。そして、保存したデータは、好きな時に閲覧および編集することができる。また、上述のようなウェブサイトで行った編集を、写真シール作成ゲームに反映させる技術も開発されている。例えば、特許文献１には、ユーザが予め作成した落書きやフレーム画像を示す識別符号を写真シール作成装置に送信し、写真シール作成装置が、当該識別符号が示す落書きやフレーム画像をサーバから受信する技術が記載されている。
【先行技術文献】
【特許文献】
【０００４】
【特許文献１】特開２０１１−０７７８５６号公報（２０１１年４月１４日公開）
【発明の概要】
【発明が解決しようとする課題】
【０００５】
ところで、写真シール作成装置およびそれに係るサービスでは、対象となるユーザのニーズに沿ったサービスを提供することが望ましい。しかしながら、従来、写真シール作成装置においては、撮影に来たユーザが、上述のようなウェブサイトの会員であるか否かは判別していなかった。そのため、写真シール作成装置で行う写真シール作成ゲームにおいて、ユーザ個々人に合わせたサービスを提供することは難しかった。
【０００６】
本発明は、上記課題を鑑みてなされたものであり、その目的は、ユーザに適したサービスを提供することが可能な写真撮影編集装置、サーバ、制御プログラム、および記録媒体を実現することにある。
【課題を解決するための手段】
【０００７】
上記の課題を解決するために、本発明の一態様に係る写真撮影編集装置（写真シール作成装置１）は、ユーザを被写体とする撮影で得られた撮影画像または該撮影画像を編集した編集画像である画像データを、画像データを管理する画像管理サービス（画像提供サイト）を提供するサーバ（管理サーバ４）に送信する写真撮影編集装置（写真シール作成装置１または写真シール作成装置２）であって、少なくとも写真を撮影し、編集する工程を含むゲームを提供するゲーム提供手段（制御部２０２）と、ユーザが上記画像管理サービスの会員であるか否かを認証するためのユーザ情報（認証コード）を取得するユーザ情報取得手段（認証制御部３１６）と、上記ユーザ情報取得手段が取得した上記ユーザ情報を用いて行われた認証（ユーザ認証）の結果を取得する認証結果取得手段（認証結果受信部３１６Ｃ）と、を備え、上記ゲーム提供手段は、上記認証結果取得手段が取得した上記認証の結果に応じて、上記ゲームにおいて上記ユーザに適用されるオプションを決定することを特徴とする。
【０００８】
上記構成において、写真撮影編集装置は、例えば、写真を撮影し、編集する工程を含むゲームを提供するものである。また、画像管理サービスは、利用のために認証を要求するものである。
【０００９】
写真撮影編集装置は、ユーザ認証の結果に応じて、写真シール作成ゲームにおいてユーザに適用されるオプションを決定する。ここで、オプションとは、撮影回数、編集時間、あるいは編集内容などのゲームにおける設定のことである。これにより、写真撮影編集装置を利用するユーザに適したサービスを提供することができる。
【００１０】
また、ユーザ認証の結果得られる、ユーザ個々人の情報（会員情報など）に応じたオプションの差別化も可能である。例えば、写真撮影編集装置は、ユーザが有料会員の場合は、無料会員の場合に比べて、オプションの数を増加させたり、質を向上させたりしてもよい。これにより、写真撮影編集装置は、無料会員であるユーザに有料会員として登録する動機を与えることができる。
【００１１】
また、上記写真撮影編集装置は、ユーザ端末（携帯端末６）に表示された、上記ユーザ情報を画像パターンとして示す符号（二次元コード）を撮影するカメラ（カメラ９１およびカメラ９１Ａの少なくともいずれか）を備え、上記符号は、上記サーバにて、上記ユーザが画像管理サービスを利用するための認証（ログイン）を受けていることを示す認証情報（認証コード）から生成され、上記ユーザ端末に対して発行されたものであり、上記ユーザ情報取得手段は、上記カメラが撮影した上記符号から、上記符号が示す上記ユーザ情報を取得し、上記認証結果取得手段は、上記認証結果として、上記ユーザ情報が上記認証情報と対応しているか否かを判定した結果（ユーザ認証の結果）を取得してもよい。
【００１２】
写真撮影編集装置は、写真撮影編集装置が撮影した符号が示すユーザ情報をサーバに送信し、当該サーバにて、ユーザ情報と、上記符号の生成元となる認証情報とが対応するか否かを判定する。そして、サーバの判定の結果、上記ユーザ情報が、上記認証情報と対応していると判定された場合、写真撮影編集装置は、サーバから認証成功を通知する。一方、上記ユーザ情報が上記認証情報と対応していると判定できない場合、サーバは、写真撮影編集装置に認証失敗を通知する。ここで、上記ユーザ情報が上記認証情報と対応しているか否かは、例えば、上記ユーザ情報が上記認証情報と一致しているか否かに基づいて判断することができる。
【００１３】
これにより、写真撮影編集装置は、二次元コードを提示したユーザ、すなわち、写真撮影編集装置のユーザが、サーバが提供する画像管理サービスにおいて認証を受けた会員であるか否かを判別することができる。
【００１４】
そして、写真撮影編集装置は、ユーザが会員であるか（認証に成功したか）否かに応じて、提供するサービス（オプション）を変更することができる。したがって、写真撮影編集装置は、ユーザに適したサービスを提供することができる。
【００１５】
上記の課題を解決するために、本発明の一態様に係る写真撮影編集装置（写真シール作成装置２）は、ユーザを被写体として撮影するカメラ（カメラ９１およびカメラ９１Ａの少なくともいずれか）と、上記カメラが撮影した上記ユーザの身体またはユーザの身体の一部の特徴量を抽出する特徴量抽出手段（特徴量抽出部７１８）と、を備え、上記ユーザ情報取得手段は、上記ユーザ情報として、上記特徴量抽出手段が抽出した上記特徴量を取得し、上記認証結果取得手段は上記認証結果として、上記ユーザ情報と、予め登録された上記ユーザ固有の身体的特徴を示す画像認証情報とが合致するか否かを判定した結果を取得してもよい。
【００１６】
上記構成によると、写真撮影編集装置は、ユーザを撮影した画像を用いて自機から上記画像管理サービスを利用するための認証（ログイン認証）を要求することができる。また、写真撮影編集装置は、ユーザに、上記認証に係る情報を入力させることなく、ログイン認証を行うことができる。換言すると、ユーザは、写真撮影編集装置を用いて自己の画像を撮影するだけで、画像管理サービスを利用するための認証を行うことができる。
【００１７】
したがって、画像管理サービスを利用するための認証を行うための情報を、ユーザが忘れる危険性を無くすことができる。
【００１８】
また、上記写真撮影編集装置は、上記カメラは、上記画像データを得るため上記ユーザを撮影するカメラ（カメラ９１）と別個に、上記写真撮影編集装置に設けられたカメラ（サブカメラ９１Ａ）であってもよい。
【００１９】
上記構成によると、写真撮影編集装置は、上記画像データを得るための撮影を行うカメラとは異なる位置に、二次元コードを撮影するカメラを設けることができ、設計の自由度が高まる。
【００２０】
上記カメラは、上記画像データを得るため上記ユーザを撮影するカメラ（カメラ９１）であってもよい。
【００２１】
上記構成によると、写真撮影編集装置は、認証に用いるカメラを新たに設けなくとも、写真撮影編集装置においてユーザを被写体として撮影するカメラを、二次元コードの撮影に援用することができる。
【００２２】
また、上記写真撮影編集装置は、上記認証結果取得手段が上記認証結果として認証成功を示す情報を取得した回数を計測する認証回数計測手段（認証制御部３１６）を備え、上記ゲーム提供手段は、上記認証回数計測手段が計測した上記回数に応じて、上記ユーザに適用されるオプションを決定してもよい。
【００２３】
上記構成によると、写真撮影編集装置は、認証成功を示す情報を取得した回数を計測し、認証成功の回数に応じてユーザが利用可能なサービスを差別化する。ここで、「認証成功を示す情報を取得した回数」は、上記ゲームにおいて写真撮影を行うユーザのグループのうち、ユーザ認証が成功した人数であるといえる。
【００２４】
したがって、写真撮影編集装置は、写真撮影編集装置を利用するグループのうち、会員登録しているユーザの人数に応じて、当該グループの各人が利用できるサービスを決定することができる。これにより、写真撮影編集装置は、非会員のユーザに、会員登録する動機を与えることができる。
【００２５】
また、上記写真撮影編集装置において、上記ユーザを被写体として撮影した画像（人物画像）に写っている人数を撮影人数として計測する撮影人数計測手段（撮影制御部３１２）を備え、上記ゲーム提供手段は、上記認証回数計測手段が計測した上記回数と、上記撮影人数計測手段が計測した上記撮影人数とに応じて、上記ユーザに適用されるオプションを決定してもよい。
【００２６】
上記構成によると、写真撮影編集装置は、ユーザを被写体として撮影した画像に写っている人数、すなわち、写真撮影編集装置を利用しているユーザの人数と、認証が成功したユーザの人数とを把握することができる。このため、例えば、写真撮影編集装置を利用しているユーザの人数に対する、認証が成功したユーザの人数の割合に応じて、オプションを決定することができる。
【００２７】
さらに言えば、写真シール作成装置は、被写体となったユーザ全員が認証に成功している場合に、ユーザに所定のオプションを提供してもよい。これにより、写真シール作成装置は、非会員のユーザに、会員登録する動機を与えることができる。
【００２８】
上記の課題を解決するために、本発明の一態様に係るサーバ（管理サーバ４）は、上記写真撮影編集装置において得られた上記画像データを管理する上記画像管理サービスを提供するサーバであって、上記写真撮影編集装置から送信される上記ユーザ情報を受信するユーザ情報受信手段（認証部４１５）と、上記ユーザ情報受信手段が受信した上記ユーザ情報を用いて、上記ユーザが上記画像管理サービスを利用するための認証を行う認証手段（照合部４１５Ａ）と、上記認証手段が行った上記認証の結果を上記写真撮影編集装置に送信する認証結果送信手段（認証部４１５）と、を備えることを特徴とする。
【００２９】
上記の構成によれば、上記サーバは、上述の写真撮影編集装置と同様の効果を奏する。
【００３０】
上記の課題を解決するために、本発明の一態様に係るサーバ（管理サーバ４）は、上記写真撮影編集装置において得られた上記画像データを管理する上記画像管理サービスを提供するサーバであって、上記画像データに含まれる１人または複数の人物の、身体または身体の一部の特徴量を抽出するサーバ特徴量抽出手段（制御部４０１）と、上記サーバ特徴量抽出手段が抽出した上記特徴量のいずれかが、予め登録された上記ユーザ固有の身体的特徴を示す画像認証情報と合致するか否かを判定する人物判定手段（制御部４０１）と、上記人物判定手段が、上記特徴量のいずれも上記画像認証情報と合致しないと判定した場合、上記ユーザに対し、上記画像データに上記ユーザが含まれていない旨を通知する通知手段（メール作成部４１２）と、を備えることを特徴とする。
【００３１】
上記構成によると、サーバは、写真撮影編集装置から受信した画像の作成者であるユーザの、固有の身体的特徴が上記画像に含まれているか否かを判定することにより、画像にユーザが含まれている（写っている）か否かを把握することができる。そして、サーバは、上記画像にユーザが含まれていない（写っていない）場合、ユーザにその旨を通知することができる。
【００３２】
したがって、サーバはユーザに対し、自機が、写真撮影編集装置から受信した画像がユーザに関係するものであるか否かを把握していることを示すことができる。これにより、サーバは、ユーザが、ユーザ自身とは無関係の写真がサーバに保存される可能性を低減できる。したがって、サーバはユーザに適したサービス（ユーザと関係ある画像を保存するサービス）を提供することができる。
【００３３】
本発明の各態様に係る写真撮影編集装置およびサーバは、コンピュータによって実現してもよく、この場合には、コンピュータを上記写真撮影編集装置が備える各手段として動作させることにより上記写真撮影編集装置をコンピュータにて実現させる写真撮影編集装置の制御プログラム、およびそれを記録したコンピュータ読み取り可能な記録媒体も、本発明の範疇に入る。
【発明の効果】
【００３４】
本発明によると、ユーザに適したサービスを提供することが可能になるという効果を奏する。
【図面の簡単な説明】
【００３５】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る認証システムの構成を示す図である。
【図１９】本発明の第１実施形態に係る携帯端末に二次元コードを発行するときに、携帯端末の表示部に表示されるウェブページの一例を示す画面遷移図である。
【図２０】本発明の第１実施形態におけるユーザ認証に係る一連の処理の流れの一例を示すシーケンス図である。
【図２１】本発明の第２実施形態において、ユーザ認証および有料会員数を特定する処理の流れを示すシーケンス図である。
【図２２】本発明の第３実施形態に係る写真シール作成装置に備えられる制御部の詳細な構成例を示す機能ブロック図である。
【発明を実施するための形態】
【００３６】
〔実施形態１〕
本発明の第１実施形態について、図１〜図２０を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３７】
（撮影画像管理システム１０）
図２は、本発明の第１実施形態に係る撮影画像管理システム１０の構成を示す図である。図２に示すように、撮影画像管理システム１０は、写真シール作成装置１（写真撮影編集装置）、携帯端末６（ユーザ端末）、および管理サーバ４（サーバ）を備えている。
【００３８】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービス（画像管理サービス）は、画像提供サイトを管理する管理サーバ４によって提供される。ユーザは、自身が所持する携帯端末６を操作することによって、自身の撮影画像を画像提供サイト（画像管理サービス）に保存することができる。
【００３９】
（会員種別）
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００４０】
ユーザは、自身の会員種別を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４１】
なお、会員種別は、有料会員および無料会員のみに限られない。例えば、有料会員を、通常の有料会員と、通常の有料会員より会費が高額なプレミアム会員とに分類し、提供するオプションを変更してもよい。また、会員種別を、例えば写真シール作成装置１の使用頻度などにより分類してもよい。例えば、写真シール作成装置１にて写真撮影に係るゲームを行った回数（累計または所定期間内での回数）が所定回数より多い会員を、ヘビーユーザ会員と設定し、当該ヘビーユーザ会員には、通常の会員（ゲーム回数が所定回数以下の会員）と異なるサービスを提供してもよい。
【００４２】
なお、本実施形態における撮影画像管理システム１０において、管理サーバ４は、ユーザが有料会員の場合、当該ユーザが、写真シール作成装置１での撮影画像以外のデータを画像データベース４２４に保存可能としてもよい。
【００４３】
例えば、管理サーバ４は、画像提供サイトの有料会員が、自己の携帯端末６で撮影した写真やイラストなどの画像データを、画像提供サイトにアップロードできるようにしてもよい。換言すると、管理サーバ４は、有料会員のユーザに対し、画像データベース４２４の当該ユーザの画像記憶領域を、データストレージのように使わせてもよい。
【００４４】
また、本実施形態における撮影画像管理システム１０において、管理サーバ４は、有料会員のユーザに対し、キャンペーン情報や、特定の商品、サービス、または写真シール作成装置１のゲームに対し利用可能なクーポンを配信してもよい。
【００４５】
例えば、管理サーバ４は有料会員に対し、コンタクト購入に利用可能な割引クーポンや、写真シール作成装置１の無料使用券、会員特典アイテムの引換券などを配信してもよい。なお、当該配信は、ユーザの携帯端末６に対しメールで送信されるものであってもよいし、ユーザが画像管理サイトにログインし、所定の操作を行うことにより、画像提供サイトのウェブページ上で表示されるものであってもよい。
【００４６】
撮影画像管理システム１０における写真撮影から画像保存までの流れについて、以下に簡潔に説明する。一人または複数人のユーザは、代金を写真シール作成装置１に支払い、写真撮影および画像編集に関するゲーム（写真シール作成ゲーム）をプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。なお、後述するユーザ認証を行う場合、上記メールアドレスの入力は行わなくてもよい。
【００４７】
ゲームの終了後、ユーザは写真シールを手に入れる。一方、写真シール作成装置１は、生成した画像に、ユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４８】
画像提供サイトへの画像保存後、ユーザは、携帯端末６または所望の他の装置を用いて画像提供サイトにログインして、画像をダウンロードすることができる。
【００４９】
なお、会員種別として、所定の金額を支払う代わりに、予め定められた回数（枚数）または期間分だけ、画像提供サイトから画像をダウンロード可能な制限付き会員を設けてもよい。なお、この制限付き会員は、無料会員から変更する（無料会員の画像提供サイトの利用権限を拡張する）会員種別であってもよいし、有料会員および無料会員（正会員）とは別に設けられる会員種別であってもよい。
【００５０】
さらに、上述のように正会員とは別に制限付き会員を設ける場合、ユーザは、会員登録の際に予め定められた（例えば、店舗で販売するカードに記載されている）、制限付き会員の会員ＩＤを入力し、会員登録を行うことにより、制限付き会員として登録されることとしてもよい。
【００５１】
さらには、管理サーバ４は、画像提供サイトの会員登録をしなくとも、金額に応じた回数または期間分だけ、画像提供サイト（または画像提供サイトに保存する前に、画像を一時的に保存している記憶領域）から画像をダウンロード可能なようにしてもよい。
【００５２】
また、管理サーバ４は、画像提供サイトに保存した画像データをダウンロードできないようにしてもよい。この場合、管理サーバ４は、画像提供サイト内で、会員間の画像データの交換を行わせればよい。もしくは、管理サーバ４は、画像提供サイト内に格納された画像データのリンクを会員間で交換させることにより、当該会員間で画像データを共有させることとしてもよい。
【００５３】
また、管理サーバ４は、ユーザが無料会員の場合、当該ユーザが画像提供サイトからダウンロードする画像データに、所定の閲覧期限（有効期限）を設け、当該閲覧期限が過ぎた場合は、当該画像データを閲覧不可とするか、もしくは、当該画像データそのものが消える（自動的に携帯端末６から削除される）こととしてもよい。
【００５４】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００５５】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００５６】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００５７】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００５８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００５９】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００６０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００６１】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００６２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００６３】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００６４】
図３に示す編集部１２の構成を正面側の構成とすると、２組のユーザが同時に編集することができるように、編集部１２の正面側と背面側には編集制御に用いられる構成がそれぞれ設けられる。
【００６５】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００６６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００６７】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００６８】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００６９】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００７０】
（ユーザの移動）
写真シール作成ゲームの流れと、それに伴うユーザの移動について図５を参照して説明する。図５は、ユーザの移動について説明する図である。
【００７１】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００７２】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００７３】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００７４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００７５】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００７６】
画像の印刷が終了したとき、ユーザは、事後接客部１３に設けられた排出口からシール紙を受け取り、一連の写真シール作成ゲームを終えることになる。
【００７７】
（各部材の構成）
次に、写真シール作成装置１に備えられる各部材の構成について説明する。
【００７８】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００７９】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００８０】
正面パネル４１のほぼ中央には撮影・表示ユニット８１が設けられる。撮影・表示ユニット８１は、カメラ９１、正面ストロボ９２、およびタッチパネルモニタ９３から構成される。
【００８１】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００８２】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００８３】
タッチパネルモニタ９３の下側には、サブカメラ９１Ａが設けられている。サブカメラ９１Ａはカメラ９１と同様、ＣＣＤ（Charge Coupled Device）またはＣＭＯＳ（complementary metal-oxide semiconductor）などの撮像素子によって構成されるカメラまたはスキャナである。なお、サブカメラ９１Ａがスキャナである場合、サブカメラ９１Ａが被写体を精度良く撮影するために、被写体を設置するための台を設けてもよい。
【００８４】
なお、写真シール作成装置１は、カメラ９１と同様に、サブカメラ９１Ａによって取り込まれた画像をタッチパネルモニタ９３にリアルタイムで表示し、ユーザによってサブカメラ９１Ａでの撮影が指示されたとき等、所定のタイミングで取り込まれた画像を静止画像として保存してもよい。
【００８５】
なお、本実施形態では、サブカメラ９１Ａを設ける位置はタッチパネルモニタ９３の下側としたが、サブカメラ９１Ａを設ける位置は、図６に示した位置に限られない。また、サブカメラ９１Ａは、撮影空間Ａ１の外部（例えば、編集部１２、側面パネル４２Ａ、または側面パネル４２Ｂなど）に設けられていてもよい。さらに、サブカメラ９１Ａは、写真シール作成装置１に複数設けられていてもよい。
【００８６】
また、カメラ９１が一眼レフカメラ等であり、ユーザの撮影時に、現在のカメラ９１の画角で撮影を行った場合の映像（ライブビュー）を取り込み可能なカメラであった場合、取り込んだライブビュー映像の少なくとも１コマ（１画像）に、後述する二次元コード（を表示した携帯端末６の表示面）が写っていれば、当該少なくとも１コマの画像を用いて、後述するユーザ認証を行えばよい。この場合、サブカメラ９１Ａは必須ではない。
【００８７】
カメラ９１またはサブカメラ９１Ａは、後述するユーザ認証に用いるため、携帯端末６に表示された、二次元コードを撮影する。ユーザ認証および二次元コードについては後述する。
【００８８】
なお、写真シール作成装置１は、後述するユーザ認証のために事前接客部を設けてもよい。この場合、上記事前接客部には、ユーザ認証に係る情報（ユーザ情報）を得るための部材（例えばタッチパネル、非接触型ＩＣリーダ／ライタ、または携帯端末６を撮影するためのカメラなど）が備えられる。
【００８９】
なお、詳しくは後述するが、上記ユーザ認証の方法は、特に限定されない。例えば、写真シール作成装置１と管理サーバ４は、ユーザにより写真シール作成装置１に直接入力された、ユーザを特定する情報（ユーザ特定情報、例えば会員ＩＤ、メールアドレスなど）を用いてユーザ認証を行ってもよい。また、本実施形態で説明するＱＲコード（登録商標）等の二次元コードを用いたユーザ認証を行ってもよいし、顔認証、指紋認証、声認証等、一般的に知られている認証手段を用いてユーザ認証を行ってもよい。
【００９０】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００９１】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００９２】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００９３】
足元ストロボ８６の右側には、ユーザがお金を投入する硬貨投入返却口８７が設けられる。
【００９４】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００９５】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００９６】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００９７】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９８】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００９９】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【０１００】
（事後接客部１３）
編集部１２の左側には事後接客部１３が設けられる。図９は、写真シール作成装置１に備えられる事後接客部１３の構成例を示す図である。
【０１０１】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【０１０２】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【０１０３】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【０１０４】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【０１０５】
スピーカ１６５は、事後接客時の案内音声、ＢＧＭ、効果音等の音を出力する。
【０１０６】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【０１０７】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【０１０８】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【０１０９】
通信部２０３はインターネットなどのネットワークのインタフェースであり、制御部２０１による制御に従って外部の装置と通信を行う。
【０１１０】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【０１１１】
ＲＯＭ２０６には、制御部２０１において実行されるプログラムおよびデータが記憶されている。ＲＡＭ２０７は、制御部２０１が処理するデータおよびプログラムを一時的に記憶する。
【０１１２】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【０１１３】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１４】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１１５】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１１６】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１１７】
カメラ９１は、制御部２０１による制御に従って、ユーザを被写体として撮影し、撮影によって得られた画像を制御部２０１に出力する。以降、ユーザを被写体として撮影し、当該撮影によって得られる画像を、「人物画像」と称する。
【０１１８】
サブカメラ９１Ａは、ユーザの所持品、身に付けている服および服飾品、ならびにユーザの体の一部の少なくともいずれかを撮影する。以降、上記所持品、服、および服飾品を「小物」と総称し、これら小物を撮影して得られた画像を、「小物画像」と総称する。ここで、服飾品とは、例えばアクセサリ、鞄、帽子、マフラー等である。また、所持品とは、例えば携帯電話やキーホルダーなどである。また、服とは、例えばトップス、ボトムスなど、ユーザの服装のうち、特定のアイテムまたはその組合せである。なお、小物画像は、ユーザの体の一部が含まれていてもよいし、ユーザの体の一部自体を撮影した画像であってもよい。例えば、ユーザの手足の爪先（爪および爪に施されたネイル）、顔（化粧またはカラーコンタクト）などの画像であってもよい。
【０１１９】
なお、図示の通り、サブカメラ９１Ａはカメラ９１とは別個に設けられるため、サブカメラ９１Ａの配置は自由度が高い。そのため、例えばユーザの手元など、ユーザが小物を撮影し易い位置にサブカメラ９１Ａを設けることにより、ユーザが小物をより撮影し易くなる。
【０１２０】
サブカメラ９１Ａはまた、携帯端末（の表示面）を撮影し、携帯端末の画像（表示面の画像）を得る。サブカメラ９１Ａは、撮影によって得られた小物画像または携帯端末の画像を制御部２０１に出力する。
【０１２１】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２における編集制御を行う。
【０１２２】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１２３】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１２４】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１２５】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１２６】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１２７】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコード（登録商標）が印刷されている場合には、ユーザは、携帯端末６を用いてＱＲコード（登録商標）の示すウェブページへアクセスすることにより、画像取得用ページへ直接アクセスすることもできる。
【０１２８】
（制御部の構成）
図１１は、写真シール作成装置１に備えられる制御部２０１の詳細な構成例を示す機能ブロック図である。この図に示すように、制御部２０１（ゲーム提供手段）は、通信制御部３１１、撮影制御部３１２、編集制御部３１３、印刷制御部３１４、事後接客制御部３１５、および認証制御部３１６（ユーザ情報取得手段）を備えている。
【０１２９】
通信制御部３１１は、通信部２０３による外部の装置との通信を制御する。
【０１３０】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１３１】
編集制御部３１３は、編集部１２Ａおよび編集部１２Ｂによる、画像に対する落書き編集等、写真シール作成ゲームにおけるユーザの編集制御に関する処理を制御する。
【０１３２】
印刷制御部３１４は、印刷部２１１によるシール紙の印刷等、写真シール作成ゲームにおけるユーザの印刷制御に関する処理を制御する。
【０１３３】
事後接客制御部３１５は、事後接客部１３による、編集作業を終了したユーザグループを接客する処理等、写真シール作成ゲームにおける事後接客に関する処理を制御する。
【０１３４】
認証制御部３１６はユーザ認証の工程に係る処理を制御する。認証制御部３１６は、サブカメラ９１Ａに携帯端末６の表示面を撮影するよう指示し、撮影画像を受信する。また、認証制御部３１６は、通信部２０３および通信制御部３１１を介して、管理サーバ４にユーザ認証を要求し、認証結果を取得する。認証制御部は、さらに詳しくは、コード特定部３１６Ａと、認証要求部３１６Ｂと、認証結果受信部３１６Ｃ（認証結果取得手段）とを含む。
【０１３５】
コード特定部３１６Ａは、認証制御部３１６がサブカメラ９１Ａから受信した携帯端末６の画像から二次元コードを抽出し、当該二次元コードをデコードすることにより、二次元コードが示す認証コード（ユーザ情報）を特定する。特定した認証コードは、認証要求部３１６Ｂに送信される。なお、上記認証コードは、文字、数字、記号等のいずれを組み合わせても構わない。また、認証コードは、ユーザまたは携帯端末６のいずれかを特定する情報（例えば会員ＩＤ、ニックネーム、メールアドレスなど）を含んでいてもよい。
【０１３６】
認証要求部３１６Ｂは、コード特定部３１６Ａが特定した認証コードと、ユーザ認証の要求とを、通信制御部３１１および通信部２０３を介して管理サーバ４に送信する。
【０１３７】
認証結果受信部３１６Ｃは、通信制御部３１１および通信部２０３を介して、管理サーバ４から認証結果（認証の成否を示す通知）を受信する。また、認証結果受信部３１６Ｃは、管理サーバ４でのユーザ認証が成功した場合、認証したユーザのユーザ特定情報を含む会員情報を受信する。ユーザ特定情報および会員情報については、後で詳述する。
【０１３８】
なお、本実施形態に係る写真シール作成装置１は、管理サーバ４とリアルタイムに通信を行うのではなく、管理サーバ４から認証に必要な情報を予めダウンロードしておいてもよい。そして、写真シール作成装置１は、携帯端末６の二次元コードの撮影に成功した場合（二次元コードから認証コードを特定できた場合）、上記ダウンロードしておいた情報を用いて、写真シール作成装置１内でユーザ認証を行ってもよい。
【０１３９】
具体的には、写真シール作成装置１は、例えば通信負荷が比較的少ない午前中や夜間などに管理サーバ４と通信を行い、後述する会員データベース４２２に格納された各ユーザの会員情報を管理サーバ４からダウンロードし記憶部２０２に格納しておく。
【０１４０】
この状態で、携帯端末６の二次元コードを得て認証コード（ユーザ情報）を特定した場合、認証要求部３１６Ｂは、各ユーザの会員情報から、管理サーバ４のコード生成部４１３Ａ（後述）が二次元コードを生成する際と同様の方法で認証コード（認証情報、詳しくは後述する）を生成する。
【０１４１】
次に、認証要求部３１６Ｂは、携帯端末６の撮影で得た二次元コードから特定した認証コード（ユーザ情報）と、自己が会員情報から生成した認証コード（認証情報）とを照合し、両者が一致する場合は認証成功、両者が一致しない場合は認証失敗を、認証結果受信部３１６Ｃに通知する。
【０１４２】
そして、認証結果受信部３１６Ｃは、認証が成功したユーザを特定する情報、例えば会員ＩＤなどを記憶部２０２に記憶させる。
【０１４３】
上記構成によると、ユーザが写真シール作成ゲームをプレイしている時に、通信トラブルによりユーザ認証の終了まで長時間待たされる事態や、ユーザ認証が異常終了するような事態を避けることができる。
【０１４４】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１４５】
なお、管理サーバ４は、記憶部４０２の会員データベース４２２に格納された会員情報（詳しくは後述する）を写真シール作成装置１に定期的に送信してもよい（写真シール作成装置１が、会員情報を定期的にダウンロードしてもよい）。この場合、管理サーバ４と写真シール作成装置１とは、通信負荷が比較的少ない午前中や夜間に通信を行い、会員情報を送受信することが望ましい。
【０１４６】
（制御部４０１の詳細）
図１に示すように、制御部４０１は、通信制御部４１１、メール作成部４１２、ウェブページ作成部４１３、画像管理部４１４、および認証部４１５（ユーザ情報受信手段、認証結果送信手段）を備えている。
【０１４７】
（通信制御部４１１）
通信制御部４１１は、通信部４０３による通信を制御する。
【０１４８】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１４９】
（ウェブページ作成部４１３）
ウェブページ作成部４１３は、携帯端末６に表示されるウェブページを作成する。本実施形態では、ウェブページ作成部４１３は、ウェブページデータベース４２３および会員データベース４２２に格納されているデータを必要に応じて用いることにより、携帯端末６から受信したアクセス要求に応じたウェブページを作成する。ウェブページ作成部４１３は、作成したウェブページを通信制御部４１１に出力する。詳細は後述するが、ウェブページ作成部４１３は、ユーザの会員種別に応じたウェブページを作成する。
【０１５０】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１５１】
ウェブページ作成部４１３は、携帯端末６から、ユーザ認証に用いる二次元コードの発行要求を受けた場合、二次元コードを生成し、当該二次元コードを含むウェブページを作成する。以降、ユーザ認証に用いる二次元コードが含まれるウェブページを、「二次元コード発行ページ」と称する。なお、二次元コードは、認証コードを画像パターン等として含められればよく、その形式は特に限定されない。例えば、二次元コードとしてＱＲコード（登録商標）を用いることができる。ウェブページ作成部４１３は、二次元コード発行ページを作成すると、当該ウェブページを通信制御部４１１および通信部４０３を介し、携帯端末６へと送信する。
【０１５２】
ウェブページ作成部４１３は、さらに詳しくは、コード生成部４１３Ａを含む。ウェブページ作成部４１３が二次元コード発行ページへのアクセス要求を受信すると、コード生成部４１３Ａは、ランダムまたは予め定められた方法に従い認証コード（認証情報）を生成する。なお、この認証コードの生成方法は特に限定されない。また、認証コードは、二次元コードで示すことが可能なものであればその形式および容量は特に限定されない。例えば、認証コードは文字、数字、記号のいずれを組み合わせて生成されてもよい。
【０１５３】
また、認証コードは、二次元コード、バーコード自体であってもよいし、会員ＩＤおよびパスワードを示す情報であってもよい。また、認証コードは、所定の複数の単語の組み合わせであってもよい。さらに、認証コードは、上述した各種情報の組み合わせから成るものであってもよい。
【０１５４】
また、管理サーバ４は、これら認証のための情報（例えば、所定の複数の単語の組み合わせ）をデータベースとして記憶部４０２に記憶していてもよい。
【０１５５】
コード生成部４１３Ａは認証コードを生成すると、当該認証コードと、二次元コード発行ページへのアクセス要求を送信したユーザを一意に特定する情報（後述のユーザ特定情報のうち、ユーザを一意に特定可能な情報または情報の組合せ）とを対応付ける。上記対応付けが行われた認証コードは、認証部４１５に送信され、認証部４１５にて一時的に記憶される。最後に、コード生成部４１３Ａは、認証コードを示す二次元コードを生成する。なお、認証コードを示す（認証コードを符号等で埋め込んだ）二次元コードを生成する方法については、従来ある方法を用いればよい。
【０１５６】
なお、コード生成部４１３Ａは、二次元コードの発行日が、二次元コードの発行（二次元コード発行ページへのアクセス）を要求したユーザの誕生日と同日、または上記誕生日の前後所定の期間内である場合は、通常の二次元コードと異なる特別な二次元コードを発行してもよい。
【０１５７】
なお、上記ユーザの誕生日については、例えば上記ユーザが上記二次元コード発行を要求するために画像提供サイトにログインした際のユーザ特定情報をキーとして会員データベース４２２を検索することで特定することができる。
【０１５８】
また、上記誕生日用の特別な二次元コードは、認証コードに加え、ユーザの個人情報（そのユーザの誕生日が近いことを示す情報、フラグなど、誕生日を迎えた時の年齢など）を含む二次元コードであることが望ましい。
【０１５９】
このような特別な二次元コードを用いてユーザ認証することにより、認証成功後に、上述の個人情報を用いて写真シール作成装置１でのゲームの編集工程において、特別なスタンプなどの合成用画像（落書き）をユーザに利用可能とする等、特典を付与することができる。したがって、ユーザフレンドリーなシステムを実現でき、よってユーザのゲームに対する満足度を上げることができる。
【０１６０】
なお、コード生成部４１３Ａは、認証コードを示す二次元コードを生成するとき、当該認証コードを暗号化し、暗号化した認証コードを示す二次元コードを生成することが望ましい。これにより、上記二次元コードが示す認証コードを、管理サーバ４以外が解読することを防止することができる。
【０１６１】
また、後述する認証部４１５は、ウェブページ作成部４１３（コード生成部４１３Ａ）から認証コードを受信して一定時間が経過した場合、上記認証コードを破棄することが望ましい。換言すると、コード生成部４１３Ａが生成する認証コードは、時間または期間制限付きの認証コードであることが望ましい。したがってこの場合、上記認証コードから生成される（上記認証コードを示す）二次元コードは、有効期限付きの二次元コードである。
【０１６２】
また、コード生成部４１３Ａが生成する二次元コードの有効期限は、当該二次元コードに含まれる、ユーザの個人情報（特に会員種別）によって決定されてもよい。
【０１６３】
例えば、画像提供サイトが、毎月所定の金額を支払うユーザに有料会員としてのサービスを提供するサイト（月額課金制のサイト）であり、有料会員の期間が、課金した日から課金した月の月末までである場合、有料会員用の二次元コードの有効期限は、二次元コードが発行された月の月末までとしてもよい。
【０１６４】
これにより、ユーザが有料会員である期間と、二次元コードの有効期限とを合わせることができる。したがって、管理サーバ４は、例えば無料会員になった後（月額課金を止めた後）に、有料会員で期間中に発行された二次元コードを使用することを防ぐことができる。
【０１６５】
さらに、コード生成部４１３Ａが生成する二次元コードは、当該二次元コードに含まれる会員種別により、有料会員が発行した二次元コード（有料会員用の二次元コード）と、無料会員が発行した二次元コード（無料会員用の二次元コード）とに区別されてもよい。この場合、例えば一定期間が経過し、有料会員用の二次元コードの有効期限（例えば、有料会員である期限）が切れた場合、上記有料会員用の二次元コードを無料会員用の二次元コードとして扱ってもよい。
【０１６６】
さらに、認証部４１５は、上記二次元コードの有効期限を延長できるようにしてもよい。例えば、コード生成部４１３Ａは、有料会員が月額課金を止めた（例えば、来月からの課金を停止させた）後、再度月額課金を開始させた場合、最初に月額課金を止める前に発行した有料会員用の二次元コードの有効期限を延長（または再設定）してもよい。
【０１６７】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１６８】
（認証部４１５）
認証部４１５は、写真シール作成装置１からユーザ認証の要求を受け付け、ユーザ認証を行うものである。認証部４１５はまた、コード生成部４１３Ａから受信した認証コードと、当該認証コードが対応付けられたユーザ特定情報とを一時記憶するものである。
【０１６９】
認証部４１５は、写真シール作成装置１が特定した認証コードを、通信部４０３および通信制御部４１１を介して受信する。このとき、受信した認証コードが暗号化された認証コードである場合、認証部４１５は、上記暗号化された認証コードの復号を行う。認証部４１５は、さらに詳しくは、照合部４１５Ａ（認証手段）を含む。
【０１７０】
照合部４１５Ａは、受信した認証コード（復号した認証コード）と、ウェブページ作成部４１３が二次元コード発行ページを作成したときに、ウェブページ作成部４１３から受信し記憶しておいた認証コードとが一致するか否かを判定する。
【０１７１】
写真シール作成装置１から受信した認証コードと、認証部４１５が記憶しておいた認証コードとが一致する場合、認証部４１５は、記憶しておいた認証コードに対応するユーザ特定情報をキーとして、会員データベース４２２を探索することにより、上記ユーザ特定情報が示すユーザの、会員情報を読み出す。そして、認証部４１５は、認証成功を示す通知と、読み出した会員情報とを、通信制御部４１１および通信部４０３を介して写真シール作成装置１へと送信する。
【０１７２】
（記憶部４０２の詳細）
図１に示すように、記憶部４０２は、メールデータベース４２１、会員データベース４２２、ウェブページデータベース４２３、および画像データベース４２４を有している。
【０１７３】
（メールデータベース４２１）
メールデータベース４２１は、ユーザに送信するメールを作成するための各種データを格納している。
【０１７４】
（会員データベース４２２）
会員データベース４２２は、画像提供サイトの会員であるユーザに関する各種情報（会員情報）を格納している。本実施形態では、会員データベース４２２には、写真シール作成装置１を利用するユーザを特定する情報（ユーザ特定情報、会員特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などの会員種別を挙げることができる。
【０１７５】
（ウェブページデータベース４２３）
ウェブページデータベース４２３は、携帯端末６に表示される画像提供サイトのウェブページを作成するための各種データを格納している。
【０１７６】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１７７】
図示はしないが、記憶部４０２は、写真シール作成装置１から受信した画像などのデータを一時的に保存する一時保存データベースも有している。
【０１７８】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１７９】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１８０】
（制御部６０１の詳細）
図１２に示すように、制御部６０１は、通信制御部６１１、入力制御部６１２、および表示制御部６１３を備えている。
【０１８１】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１８２】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１８３】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１８４】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１８５】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１８６】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１８７】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１８８】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１８９】
なお、ユーザは、無料会員の登録後、会員ＩＤおよびパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１９０】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１９１】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１９２】
所定の金額分の硬貨が投入されたと判定した場合、撮影制御部３１２は、認証制御部３１６に対しユーザ認証の開始を通知
する。認証制御部３１６は当該通知を受けると、ユーザ認証を行う（ステップＳ１００）なお、このユーザ認証については後で詳述する。ユーザ認証の結果（認証の成否）は記憶部２０２に保持される。ユーザ認証が終了すると、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１９３】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１９４】
撮影制御部３１２は、カメラ９１によるユーザを被写体とする撮影が終了すると、撮影部２１のサブカメラ９１Ａを制御し、小物の撮影を行わせる。なお、当該小物の撮影はユーザが任意で行う撮影であり、必須の処理ではない。
【０１９５】
なお、小物の撮影（ステップＳ２００）は、ユーザ認証（ステップＳ１００）の終了後、ユーザを被写体とする撮影（ステップＳ２）を行う前に行ってもよい。また、小物の撮影は、ユーザを被写体とする撮影と並行して行われてもよい。さらには、小物の撮影は、ユーザ認証の終了後、後述する画像編集（ステップＳ３）の開始までの間、ユーザの所望のタイミングで複数回行われてもよい。
【０１９６】
ユーザを被写体とした撮影（人物画像の生成）、および小物の撮影（小物画像の生成）の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１９７】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に人物画像を編集させる（ステップＳ３）。具体的には、編集制御部３１３は、編集対象画像として選択または取得された人物画像に合成するための合成用画像をユーザに選択させ、選択された合成用画像を人物画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１９８】
なお、ステップＳ２００において小物の撮影を行っていた場合、編集制御部３１３は、編集部１２に小物画像を編集させてもよい。より具体的には、編集制御部３１３は、人物画像の編集と同様に、編集対象画像として選択された小物画像に、合成用画像を合成してもよい。また、編集制御部３１３は、編集対象として選択された人物画像または小物画像に係る情報（アイテム名、ブランド名、当該小物に対する説明など）をユーザに入力させ、当該情報を、編集対象として選択された小物画像に紐付けて記憶してもよい。以降、人物画像または小物画像に係る情報を、「コーデ情報」と称する。
【０１９９】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０２００】
（写真シール印刷）
案内の終了後、印刷制御部３１４は、ユーザによって選択された人物画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の人物画像が中央部に印刷されたシール紙をシール紙排出口１６４に排出する。
【０２０１】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて人物画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０２０２】
なお、ステップＳ１００にてユーザ認証に成功した場合、事後接客制御部３１５は、上述のメールアドレスの入力を省略してもよい。この場合、事後接客制御部３１５は、上記ユーザ認証により管理サーバ４から得られたメールアドレスを、タブレット内蔵モニタ１６１に自動表示すればよい。また、ステップＳ１００にてユーザ認証に成功し、かつ、ステップＳ２００で小物の撮影を行っていた場合、事後接客制御部３１５は、人物画像とともに、小物画像（編集済みの画像を含む）を管理サーバ４に送信してもよい。また、ステップＳ１００にてユーザ認証に成功した場合で、ステップＳ３にて人物画像または小物画像に紐づくコーデ情報が入力された場合は、当該人物画像または小物画像に、当該コーデ情報を紐づけた状態で管理サーバ４に送信する。メールアドレスを入力しない場合の処理、および、小物画像を管理サーバ４に送信する場合の処理については、後で詳述する。
【０２０３】
（画像送信）
通信制御部３１１は、入力された（または自動表示された）メールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０２０４】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０２０５】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０２０６】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０２０７】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０２０８】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０２０９】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０２１０】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０２１１】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０２１２】
図１５（ｃ）に示すように、ウェブページ１１０７は、一つのサムネイル画像１１０４、および、全ての画像を保存するためのリンク画像１１０８を含んでいる。
【０２１３】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０２１４】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０２１５】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０２１６】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０２１７】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０２１８】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０２１９】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０２２０】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０２２１】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０２２２】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２と、認証コードを発行（表示）するためのリンク画像１０３３とを含んでいる。通信制御部４１１は、通信部４０３を通じて会員トップページ１０３１を携帯端末６に送信する（ステップＳ２３）。
【０２２３】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０２２４】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０２２５】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０２２６】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０２２７】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０２２８】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０２２９】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０２３０】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０２３１】
携帯端末６の通信制御部６１１は、通信部６０３を通じて、送信された画像を受信し、記憶部６０２に保存する（ステップＳ３２）。以上により、携帯端末６への画像保存処理が完了する。
【０２３２】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０２３３】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０２３４】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０２３５】
（ユーザ認証処理）
次に、写真シール作成装置１が、写真シール作成装置１を利用するユーザ、すなわち携帯端末６のユーザを認証する処理について、図１８〜２１を用いて説明する。
【０２３６】
まず始めに、図１８を用いて、本実施形態に係る認証システム２０の概要を説明する。認証システム２０は、撮影画像管理システム１０においてユーザ認証を行うためのシステムであり、少なくとも、写真シール作成装置１と、管理サーバ４とを備えている。認証システム２０は、写真シール作成装置１が、自装置に提示された二次元コードを用いて、写真シール作成装置１を利用するユーザを認証（識別）するシステムである。なお、以降の説明では、ユーザが写真シール作成装置１に二次元コードを提示するために、携帯端末６を用いた例を説明する。
【０２３７】
上述の通り、写真シール作成装置を利用するユーザは、画像提供サイトに会員登録することができる。認証システム２０では、予め画像提供サイトに会員登録しているユーザ（以降、会員ユーザと称する）の指示操作に従い、携帯端末６は管理サーバ４へ、二次元コードを要求する。管理サーバ４は上記要求を受け、二次元コードを生成し、携帯端末６へ送信する。このとき、管理サーバ４は、当該二次元コードが示す認証コードと、会員ユーザのユーザ特定情報とを対応付けて記憶しておく。管理サーバ４から二次元コードを取得した携帯端末６は、図示のように二次元コード１０５２を表示部６０５に表示する。
【０２３８】
一方、写真シール作成装置１は、ユーザにより写真シール作成ゲームが開始されると、ユーザに、二次元コードが表示された携帯端末６（の表示面）をサブカメラ９１Ａに向ける旨の案内を掲示する。そして、携帯端末６の表示面がサブカメラ９１Ａの方向に向けられると、それを撮影する。続いて、写真シール作成装置１は、携帯端末６の表示面の画像から二次元コードを抽出し、当該二次元コードが示す認証コードを特定する。そして、写真シール作成装置１は、特定した認証コードを管理サーバ４に送信するとともに、ユーザ認証を要求する。管理サーバ４は上記要求を受け、写真シール作成装置１から受信した認証コードが、自機が記憶している認証コードと一致するか否かを判定する。管理サーバ４は、認証コードが一致する場合は認証成功、一致しない場合は認証失敗と判定し、当該認証結果を写真シール作成装置１へと送信する。また、管理サーバ４は、認証成功の場合は、当該認証コードに対応するユーザ特定情報を用いて会員情報を読み出し、写真シール作成装置１へと送信する。
【０２３９】
このような処理制御により、写真シール作成装置１は、自装置を利用するユーザ（携帯端末６のユーザ）の会員情報を得ることができる。したがって、写真シール作成装置１は、自装置を利用するユーザを識別することができる。
【０２４０】
なお、携帯端末６は、二次元コードを含むウェブページを表示できる電子機器であればよい。例えば、携帯端末６として、携帯電話、スマートフォン、タブレットＰＣ等を用いることができる。
【０２４１】
（ユーザ認証処理の流れ）
次に、ユーザ認証に係る処理の流れについて、図１９および図２０を参照して説明する。図１９は、携帯端末６に二次元コードを発行するときに、携帯端末６の表示部６０５に表示されるウェブページの一例を示す画面遷移図である。また、図２０は、認証システム２０におけるユーザ認証に係る、一連の処理の流れの例を示すシーケンス図である。
【０２４２】
≪１：携帯端末が二次元コードを取得する処理の流れ≫
まず始めに、ユーザが携帯端末６を用いて、ユーザ認証に用いる二次元コードを取得する処理（ステップＳ１０２〜Ｓ１１６）について説明する。なお、図１９の（ａ）および（ｂ）は、図１７の（ａ）および（ｂ）と同じ画面である。また、図２０のＳ１０２〜Ｓ１０８の処理は、図１６のＳ２１〜Ｓ２４の処理と同様の処理であるので、詳細な説明は割愛する。
【０２４３】
携帯端末６はユーザの指示により、管理サーバ４がサービスを提供している画像提供サイトにログインを要求する（ステップＳ１０２）。管理サーバ４はログイン要求を受け付け（Ｓ１０４）、会員ログイン処理を行う。そして、ログインが成功した場合、管理サーバ４のウェブページ作成部４１３はウェブページデータベース４２３のデータを用いて、図１９（ｂ）に示すような会員トップページ１０３１を生成し、携帯端末６へと送信する（Ｓ１０６）。携帯端末６は会員トップページ１０３１を受信すると、これを表示部６０５に表示する（Ｓ１０８）。
【０２４４】
ここで、携帯端末６の入力部６０４が、二次元コードを発行（表示）するためのリンク画像１０３３を選択するユーザの操作を受け付けると、入力部６０４は、上記リンク画像１０３３が選択されたことを通信制御部６１１に通知する。これにより通信制御部６１１は、二次元コードを含むウェブページの提供を求める要求を、通信部６０３を通じて管理サーバ４に送信する（Ｓ１１０）。
【０２４５】
管理サーバ４の通信制御部４１１は、通信部４０３を通じて上記要求を受け付けると、二次元コードを含むウェブページの生成を、ウェブページ作成部４１３に指示する。なお、このとき、通信制御部４１１は、上記要求を送信した会員ユーザのユーザ特定情報もウェブページ作成部４１３に送信する。
【０２４６】
ウェブページ作成部４１３は上記指示を受けるとまず、コード生成部４１３Ａにおいて、ユーザ認証に用いる認証コードを生成する。なお、ウェブページ作成部４１３は、ここで生成した認証コードと、通信制御部４１１から受信したユーザ特定情報とを対応づけて一時的に記憶しておく。次に、コード生成部４１３Ａは、生成した認証コードを示す二次元コードを生成する（ステップＳ１１２）。そして、ウェブページ作成部４１３は、コード生成部４１３Ａが生成した二次元コードと、ウェブページデータベース４２３のデータとを用いて、図１９の（ｃ）に示すような二次元コード（１０５２）の発行画面１０５１を生成する。生成された二次元コードの発行画面１０５１は通信制御部４１１に出力され、通信制御部４１１は、二次元コードの発行画面１０５１を、通信部４０３を介して携帯端末６へと送信する（ステップＳ１１４）。
【０２４７】
携帯端末６の通信制御部６１１は、通信部６０３を通じて二次元コードの発行画面１０５１を受信する。通信制御部６１１は、受信した二次元コードの発行画面１０５１を、表示制御部６１３に出力する。表示制御部６１３は、二次元コードの発行画面１０５１を表示部６０５に出力する。結果、表示部６０５に図１９の（ｃ）に示すような二次元コードの発行画面１０５１が表示される（ステップＳ１１６）。
【０２４８】
≪２：ユーザ認証処理≫
次に、写真シール作成装置１と管理サーバ４とによるユーザ認証処理（ステップＳ１１８〜Ｓ１３２）について説明する。
【０２４９】
図１４のステップＳ１およびＳ１００にて説明したように、写真シール作成装置１は、撮影制御部３１２が、写真シール作成ゲームのプレイに必要な料金の硬貨が投入された（ユーザによってゲームのプレイが開始された）と判定すると、認証制御部３１６に対しユーザ認証の開始を通知する。認証制御部３１６は当該通知を受けると、撮影部２１のタッチパネルモニタ９３を制御し、ユーザ認証を促すメッセージ、画像、または動画（ユーザ認証の案内）を表示させる。
【０２５０】
ここで表示する案内は、ユーザが、二次元コードを表示した携帯端末６（の表示面）をサブカメラ９１Ａにかざし、その状態でサブカメラ９１Ａの撮影開始を指示する（例えば、タッチパネルモニタ９３の所定のボタンを押下する）ように促すことが可能なものであればよい。また、携帯端末６に二次元コードを表示するまでの、携帯端末６の操作方法（ステップＳ１０２〜Ｓ１１６にて示した携帯端末６の操作）を共に案内してもよい。また、認証制御部３１６は、上記ユーザ認証の案内を、スピーカ２２４から音声により行ってもよい。
【０２５１】
ユーザ認証の案内を表示した後、ユーザによりサブカメラ９１Ａの撮影開始を指示する入力がなされると、タッチパネルモニタ９３は、当該入力を示す入力信号を制御部２０１に送信する。制御部２０１が上記入力信号を受信すると、認証制御部３１６は、サブカメラ９１Ａに撮影を指示する。なお、認証制御部３１６は、ユーザ認証の案内を表示してから所定時間が経過した場合、ユーザの指示を待たずにサブカメラ９１Ａに撮影指示を出してもよい。
【０２５２】
このようなユーザ認証の案内に従い、ユーザがサブカメラ９１Ａでの撮影操作を行うこととすると、サブカメラ９１Ａの撮影範囲内には、ユーザがかざしている携帯端末６（の表示面）が含まれる。ここで、携帯端末６の表示面には、二次元コードの発行画面１０５１が表示されている（ステップＳ１１６）。したがって、ユーザ認証の案内に従いサブカメラ９１Ａでの撮影操作を行うことにより、二次元コードを含む画像が生成される（ステップＳ１１８）。サブカメラ９１Ａは、撮影した画像を制御部２０１の認証制御部３１６の認証要求部３１６Ｂに送信する。以降、二次元コードを含む画像を、「コード画像」と称する。また、写真シール作成装置１においてステップＳ１１８までの処理制御（コード画像を撮影するまでの処理制御）は、認証制御部３１６ではなく、撮影制御部３１２が行ってもよい。
【０２５３】
コード特定部３１６Ａは認証制御部３１６がコード画像を受信すると、当該コード画像から二次元コードを抽出し、二次元コードが示す認証コードを特定する（ステップＳ１２０）。そして、認証要求部３１６Ｂは、特定した認証コードと、ユーザ認証の要求とを併せて通信制御部３１１に出力する。そして、通信制御部３１１は、コード特定部３１６Ａが特定した認証コードと、ユーザ認証の要求とを、通信部２０３を介して管理サーバ４の通信制御部４１１へと送信する（ステップＳ１２２）。
【０２５４】
管理サーバ４の通信制御部４１１は、認証コードおよびユーザ認証の要求を受信すると（ステップＳ１２４）、これらを認証部４１５に送る。認証部４１５が認証コードおよびユーザ認証の要求を受信すると、照合部４１５Ａは、受信した認証コードが、二次元コード生成時（ステップＳ１１２）に認証部４１５にて一次記憶した認証コードと一致するか否かを判定する（ステップＳ１２６）。受信した認証コードが、二次元コード生成時に記憶しておいた認証コードと一致する場合（ステップＳ１２６でＹＥＳ）、認証部４１５は、記憶しておいた認証コードに対応するユーザ特定情報をキーとして、会員データベース４２２を探索することにより、上記ユーザ特定情報が示すユーザ、すなわち、携帯端末６を用いて二次元コードの発行を要求したユーザの、会員情報を読み出す。そして、認証部４１５は、認証成功を示す通知と、読み出した会員情報とを、通信制御部４１１および通信部４０３を介して写真シール作成装置１へと送信する（ステップＳ１２８）。
【０２５５】
認証成功の通知および会員情報は、写真シール作成装置１において、通信部２０３および通信制御部３１１を介して認証結果受信部３１６Ｃが受信する（ステップＳ１３０）。これにより、写真シール作成装置１は、二次元コードの発行を要求し、認証に成功したユーザ、すなわち、写真シール作成装置１を利用している会員ユーザの会員情報を得ることができる。したがって、写真シール作成装置１は、会員情報を参照することにより、自装置を利用するユーザを識別することができる。
【０２５６】
一方、管理サーバ４にて、画像解析部４１５Ａが特定した認証コードと、二次元コード生成時に記憶しておいた認証コードとが一致しない場合（ステップＳ１２６でＮＯ）、管理サーバ４の認証部４１５は、認証が失敗したことを、写真シール作成装置１の認証制御部３１６に通知し（ステップＳ１３２）。写真シール作成装置１の認証結果受信部３１６Ｃは、認証失敗の通知を受信する（ステップＳ１３０）。
【０２５７】
以上の処理を経て、認証結果受信部３１６Ｃが取得したユーザ認証の結果（および会員情報）は、記憶部２０２にて保持される。写真シール作成装置１は、管理サーバ４から認証結果（および会員情報）を取得した、または、ユーザ認証処理を開始してから所定の時間が経過した（所定の時間内に、ユーザがユーザ認証に係る操作を行わなかった）場合に、ユーザ認証を終了する。
【０２５８】
（ユーザ認証処理の変形例）
上記説明では、ステップＳ１０２〜Ｓ１１６の処理、すなわち、携帯端末６にて画像提供サイトにログインし、二次元コードを得るまでの作業は、写真シール作成装置１にてゲームを開始する前に予め行われていることとした。しかしながら、ステップＳ１０２〜Ｓ１１６の処理は、写真シール作成装置１にて写真シール作成ゲームを開始し、写真シール作成装置１によるユーザ認証の案内があった後に行われてもよい。
【０２５９】
また、本発明に係る認証システム２０において、携帯端末６および管理サーバ４が二次元コードおよび二次元コードの要求を送受信する手段は、ウェブページでなくてもよい。例えば、携帯端末６は、管理サーバ４にメールで二次元コードを要求してもよい。また、管理サーバ４は、携帯端末６のメールアドレス宛てに、二次元コードを添付したメール、または二次元コードを示すＵＲＬを含むメールを送信することにより、携帯端末６に二次元コードを通知してもよい。
【０２６０】
また、サブカメラ９１Ａでの携帯端末６の撮影時、撮影した画像をユーザに提示し、二次元コードが上手く撮影できなかった場合など、ユーザが撮影をやり直したい場合は、当該やり直しを指示する操作を受け付けることとしてもよい。
【０２６１】
また、本実施形態では、サブカメラ９１Ａが携帯端末６の表示面を撮影することとしたが、サブカメラ９１の代わりに、カメラ９１が認証制御部３１６の撮影制御を受け、携帯端末６の表示面を撮影してもよい。この場合、サブカメラ９１Ａは小物画像の撮影を行わないのであれば、必ずしも備えられていなくてもよい。
【０２６２】
また、写真シール作成装置はステップＳ１２０の処理を行わず、ステップＳ１２２にて、認証要求部３１６Ｂが、サブカメラ９１Ａから受信した携帯端末６の画像、または、当該画像から二次元コードを抽出した画像データを送信してもよい。この場合、当該画像を受信した認証部４１５が、ステップＳ１２６の処理を行う前に、当該画像から認証コードを特定すればよい。なお、この場合、写真シール作成装置１はコード特定部３１６Ａを備え得ていなくてもよい。
【０２６３】
また、本実施形態に係る管理サーバ４は、上述したユーザ認証に係る構成を利用して携帯端末６から携帯端末６またはユーザの情報（個人情報）を得て、当該情報を用いて種々のサービスを提供してもよい。
【０２６４】
例えば、管理サーバ４は、上記ユーザ認証に係る構成を利用して携帯端末６からメールアドレスを含む情報を得ることにより、写真シール作成ゲームから受信した撮影画像（人物画像および小物画像の少なくともいずれか）を、取得したメールアドレス宛てに送信してもよい。
【０２６５】
具体的には、携帯端末６は、所定のアプリケーションをインストールした際に、自己のメールアドレス、端末ＩＤなどに基づいて予め二次元コードを生成しておく。
【０２６６】
次に、携帯端末６はユーザの指示操作により、写真シール作成ゲームを行う際に上記二次元コードを携帯端末６の表示面に表示させ、写真シール作成装置１のカメラ９１またはサブカメラ９１Ａに読み取らせる。そして、写真シール作成装置１は、読み取った二次元コードが示すコード（メールアドレスが情報として含まれるコード）と、撮影画像とを管理サーバ４に送信する。なお、撮影画像と上記コードとは、別個に管理サーバ４に送信されてもよい。
【０２６７】
そして、管理サーバ４は、写真シール作成装置１から撮影画像を受信すると、上記コードが示すメールアドレス宛てに、当該撮影画像を送信する。
【０２６８】
これにより、ユーザは写真シール作成装置１にメールアドレスを入力せずとも、予め管理サーバ４から携帯端末６に受信した、または携帯端末６にて生成された二次元コードを写真シール作成装置１に撮影させるだけで、写真シール作成ゲームにて作成した画像を携帯端末６で自動的に受信できる。
【０２６９】
（他のユーザ認証方法）
また、本実施形態に係る撮影画像管理システム１０において、携帯端末６に非接触ＩＣが搭載されている場合、携帯端末６と写真シール作成装置１とは、二次元コードを用いたユーザ認証ではなく、非接触ＩＣを用いたユーザ認証を行ってもよい。以下、非接触ＩＣを用いたユーザ認証の具体例を説明する。
【０２７０】
なお、以下の例では、写真シール作成装置１は非接触型ＩＣリーダ／ライタ１６３を用いて携帯端末６の非接触ＩＣと通信することとする。しかしながら、写真シール作成装置１は、例えば撮影部２１や編集部１２に非接触型ＩＣリーダ／ライタを設け、これらの非接触型ＩＣリーダ／ライタを用いてユーザ認証を行ってもよい。
【０２７１】
写真シール作成装置１において事後接客（図１４のステップＳ５）が開始すると、事後接客制御部３１５は認証制御部３１６に対し会員認証の開始を通知する。認証制御部３１６は通知を受けると、非接触型ＩＣリーダ／ライタ１６３を起動（通信待機）させる。
【０２７２】
ここで、ユーザの携帯端末６（非接触型ＩＣ）が非接触型ＩＣリーダ／ライタ１６３に近接すると、非接触型ＩＣリーダ／ライタ１６３は、携帯端末６の非接触型ＩＣと非接触通信を開始する。なお、非接触通信の通信規格は特に限定されない。
【０２７３】
非接触型ＩＣリーダ／ライタ１６３は、非接触型ＩＣに携帯端末６のユーザの認証に係る情報（認証情報、例えば会員ＩＤおよびパスワード）を要求する。当該要求を受けて、非接触型ＩＣは、制御部６０１を介し、記憶部６０２から携帯端末６のユーザの特定情報を読み出し、非接触型ＩＣリーダ／ライタ１６３に送信する。もしくは、非接触型ＩＣは、自己に記憶された上記ユーザの特定情報を非接触型ＩＣリーダ／ライタ１６３に送信してもよい。
【０２７４】
写真シール作成装置１の認証要求部３１６Ｂは、非接触型ＩＣリーダ／ライタ１６３が受信したユーザ特定情報と、ユーザ認証の要求とを、管理サーバ４へと送信する。管理サーバ４の認証部４１５はユーザ特定情報とユーザ認証の要求とを受信すると、会員データベース４２２を参照することにより、受信したユーザ特定情報が示すユーザアカウントが会員データベース４２２に登録されているか（ユーザが会員か否か）を判定する。
【０２７５】
ユーザ特定情報が示すユーザアカウントが登録されている場合、認証部４１５は上記ユーザの会員情報と、認証成功の通知を写真シール作成装置１の認証結果受信部３１６Ｃに送信する。一方、ユーザ特定情報が示すユーザアカウントが登録されていない場合、認証部４１５は認証失敗の通知を認証結果受信部３１６Ｃに送信する。
【０２７６】
以上のような処理を経て、本実施形態に係る撮影画像管理システム１０は、非接触型ＩＣを用いたユーザ認証を行うことができる。これにより、例えばユーザの携帯端末６がＱＲコード（登録商標）を表示できない場合や、写真シール作成装置１のカメラでＱＲコード（登録商標）の撮影が上手くいかない場合などでも、ユーザ認証を行うことができる。
【０２７７】
また、写真シール作成装置１は、従来からある非接触型ＩＣリーダライタを搭載すれば上述の処理によりユーザ特定情報を得ることができる。そのため、ＱＲコード（登録商標）の読み取りに係る画像解析（認証コード読み取り）を行わなくて良いという利点がある。
【０２７８】
（ユーザ認証により得られる会員情報の利用）
図２０にて示したユーザ認証が成功した場合、写真シール作成装置１は、写真シール作成装置１を利用している会員ユーザの会員情報を得ることができる。この会員情報は、写真シール作成装置１における種々の処理に利用することができる。以下、図１４を再び用いて、会員情報の利用方法について説明する。ユーザの会員情報は、例えば、ユーザが写真シール作成装置に入力した情報の送信、メールアドレス入力の省略、画像提供サイトへの小物画像およびコーデ情報の送信、ならびに、会員情報に基づいたサービスの差別化などに用いることができる。
【０２７９】
≪１：ユーザ入力情報の送信≫
本実施形態に係る写真シール作成装置１は、ユーザ認証が成功した場合、写真シール作成ゲームにおいてユーザが入力した情報（入力情報）を、管理サーバ４に送信することができる。
【０２８０】
この場合、撮影制御部３１２は、人物画像の撮影工程（図１４のステップＳ２）における入力情報を、記憶部２０２に格納する。同様に、編集制御部は編集工程（図１４のステップＳ３）、事後接客制御部３１５は事後接客の工程（図１４のＳ５）における入力情報を、記憶部２０２に格納する。なお、写真シール作成装置１は、撮影制御部３１２、編集制御部３１３、および事後接客制御部３１５の少なくともいずれかにおいて、入力情報を取得し、記憶部２０２に格納すればよい。
【０２８１】
そして、制御部２０１は、ユーザの指示操作があった場合、または、写真シール作成装置１における所定のタイミングで、会員情報が示すユーザを一意に特定する情報（例えば会員ＩＤ）と、記憶部２０２から読み出した入力情報とを紐付けて管理サーバ４へと送信する。
【０２８２】
以上の処理により、写真シール作成装置１は、入力情報を管理サーバ４に送信することができる。また、管理サーバ４は、受信した入力情報を用いて、会員情報の更新や、画像提供サイトなどの各種サービスに係る処理を行うことができる。
【０２８３】
特に、事後接客の工程において、事後接客制御部３１５がタブレット内蔵モニタ１６１にアンケートやミニゲームを表示する場合、上述した入力情報の管理サーバ４への送信は利便性が高い。これは、写真シール作成装置１が入力情報、すなわちユーザのアンケートへの回答や、ミニゲームの結果などを、携帯端末６を介さずに、写真シール作成装置１から管理サーバ４に直接送信することができるからである。
【０２８４】
例えば、事後接客制御部３１５がタブレット内蔵モニタ１６１に、キャンペーン情報および当該キャンペーンに係る抽選の応募フォームを表示しているとする。この状態で、ユーザにより応募フォームに必要事項が入力されると、制御部２０１は、入力された当該必要事項（入力情報）を、会員情報が示すユーザの会員ＩＤと紐付けて管理サーバ４へと送信する。管理サーバ４は、上記必要事項と会員ＩＤとを受信すると、会員データベース４２２を参照し、上記会員ＩＤが示すユーザを特定する。そして、管理サーバ４は、上記会員ＩＤが示すユーザからの抽選の応募を受け付け、処理することができる。
【０２８５】
また、本実施形態に係る写真シール作成装置１は、上述のように入力情報を管理サーバ４へ送信した場合、管理サーバ４から、入力情報に対応する各種データをさらに受信してもよい。
【０２８６】
例えば、事後接客制御部３１５がタブレット内蔵モニタ１６１に、写真シール作成ゲームでの写真撮影および画像編集の手本となる人物（モデル）が撮影した画像（編集済みの画像を含む）を表示し、ユーザにモデルの画像を評価（上記画像を支持するか否か）させるとする。より具体的には、ユーザは、タブレット内蔵モニタ１６１に表示された、いわゆる「いいね！」ボタンを押下することにより、モデルの画像を評価する。
【０２８７】
この場合、写真シール作成装置１の制御部２０１は、事後接客制御部３１５が取得したユーザの上記評価の選択（入力情報）を、ユーザの会員ＩＤとともに管理サーバ４へと送信する。管理サーバ４は、受信した入力情報を参照し、ユーザが上記モデルの画像を評価した（支持した）場合は、当該モデルに係る情報を、記憶部４０２またはインターネット上から取得し、写真シール作成装置１に返信する。そして、写真シール作成装置１の事後接客制御部３１５は上記モデルに係る情報を受信し、タブレット内蔵モニタ１６１に表示させる。
【０２８８】
一方、ユーザが上記モデルの画像を評価しなかった場合、管理サーバ４は当該モデルに係る情報以外の別の情報（例えば、別のモデルの撮影画像など）を写真シール作成装置１に送信し、事後接客制御部３１５は、当該別の情報をタブレット内蔵モニタ１６１に表示すればよい。
【０２８９】
これにより、写真シール作成装置１は、ユーザによりモデルの画像が評価されたか否かに応じて、次に表示する情報を変えることができる。すなわち、写真シール作成装置１は、ユーザの入力情報に応じた情報を管理サーバ４から受信し、ユーザに提示することができる。
【０２９０】
≪２：メールアドレス入力の省略≫
また、本実施形態に係る写真シール作成装置１は、ユーザ認証（図１４のステップＳ１００）が成功した場合、ユーザによるメールアドレスの入力を省略することができる。
【０２９１】
人物画像の印刷が始まると、事後接客制御部３１５は、事後接客部１３を制御することにより、印刷待ちのユーザに対し事後接客を行う（図１４のステップＳ５）。このとき、事後接客制御部３１５は、ゲームをプレイしたユーザに、画像提供サイトへの撮影画像の保存を案内するメールの送信先となるメールアドレス（ユーザのメールアドレス）を入力させる。
【０２９２】
ここで、事後接客制御部３１５は、ユーザ認証により得られ制御部２０１に保持されているユーザの会員情報から、当該ユーザのメールアドレス（会員登録されているメールアドレス）を特定することができる。したがって、事後接客制御部３１５は、事後接客の工程において、ユーザによるメールアドレスの入力を省略し、代わりに会員登録されているメールアドレスを選択可能に表示することができる。これにより、写真シール作成装置１は、ユーザのメールアドレスを入力する手間を省くことができる。
【０２９３】
≪３：小物画像、コーデ情報などの送信≫
また、本実施形態に係る写真シール作成装置１は、ユーザ認証が成功した場合、小物画像（編集済みの画像を含む）、および小物画像に紐づいたコーデ情報を、画像提供サイトに送信することができる。より具体的には、事後接客制御部３１５は、ユーザ認証により得られ、記憶部２０２に保持されたユーザの会員情報から、当該ユーザの会員ＩＤなど、画像提供サイトへのアクセス（ログイン）に必要な情報（ログイン情報）を取得する。そして、図１４のステップＳ６において、上記ログイン情報を用いて写真シール作成装置１から画像提供サイトの、上記ユーザ認証が成功したユーザの画像記憶領域にアクセスし、小物画像およびコーデ情報を保存することができる。これにより、写真シール作成装置１は、ユーザ認証が成功したユーザの、画像提供サイトに小物画像をアップロードする手間を省くことができる。また、写真シール作成装置１は、上記ユーザの、コーデ情報の入力に係る手間を省くことができる。より具体的には、写真シール作成装置１はユーザに、画像提供サイトにログインさせてから小物画像に対しコーデ情報を入力するのではなく、写真シール作成ゲームの間にコーデ情報を入力させることができる。
【０２９４】
このように、ユーザ認証が成功した場合、写真シール作成装置１は、上述のように会員情報を用いて、自装置から画像提供サイトに直接アクセスすることが可能である。そのため、上記小物画像やコード情報以外にも、写真シール作成装置１にて取得するあらゆるデータを、上記会員情報が示すユーザの画像記憶領域に保存することができる。例えばカメラ９１が撮影した人物画像およびその編集画像についても、図１４のステップＳ８以降の処理を行うことなく、自動的に画像提供サイト（管理サーバ４）に保存することもできる。
【０２９５】
また、写真シール作成装置１にて取得するデータにより、上記会員情報を更新することも可能である。例えば、写真シール作成装置１は、制御部２０１または記憶部２０２などにおいて、会員ユーザによる自装置への操作履歴を保持しておく。そして、写真シール作成ゲームの終了時に、当該操作履歴を管理サーバ４に送信し、会員データベース４２２の、上記ユーザの会員情報（例えば、会員ユーザの写真シール作成装置１の使用頻度など）を更新させてもよい。
【０２９６】
≪４：会員種別によるサービスの差別化≫
また、本実施形態に係る写真シール作成装置１は、ユーザ認証が成功したユーザの会員情報から当該ユーザの会員種別を判別し、ユーザの会員種別に応じて、写真シール作成ゲーム中の各工程において、ユーザが利用可能なオプションを決定してもよい。ここで、「オプション」とは、写真シール作成ゲームの各工程の少なくともいずれかにおいてユーザに適用されるサービス（サービスの質、量、および種類）である。より具体的には、「オプション」とは、例えば撮影回数、編集時間、あるいは編集内容などのゲームにおける設定のことである。
【０２９７】
写真シール作成装置１は、写真シール作成ゲームが開始する（図１４のＳ１）と、まずユーザ認証を行う（図１４のステップＳ１００）。その後、写真シール作成装置１は、撮影制御部３１２による撮影（ユーザを被写体とする撮影、および小物の撮影）の制御（図１４のＳ２およびＳ２００）、編集制御部３１３による画像編集の制御（図１４のＳ３）、印刷制御部３１４による印刷の制御（図１４のＳ４）、および事後接客制御部３１５による事後接客の制御（図１４のＳ５）を行う。これらステップＳ２、Ｓ２００、Ｓ３、Ｓ４、およびＳ５の各種工程の少なくともいずれかにおいて、写真シール作成装置１（撮影制御部３１２、編集制御部３１３、印刷制御部３１４、事後接客制御部３１５の少なくともいずれか）は、記憶部２０２に保持されているユーザの会員情報（会員情報に含まれる会員種別）を参照し、ユーザが有料会員か、無料会員かに応じてオプションを決定してもよい。
【０２９８】
特に、上記ステップＳ２、Ｓ２００、Ｓ３、Ｓ４、Ｓ５、およびＳ６の各工程のいずれかにおいて、写真シール作成装置１は、ユーザが有料会員である場合は、ユーザが無料会員である場合に比べ、より多く、またはより良いオプションを提供することが望ましい。
【０２９９】
例えば、撮影制御部３１２は、撮影の制御において、ユーザが有料会員の場合は所定の撮影コース（例えば、特殊な撮影時のフレームなど）がユーザに利用可能となるように撮影部２１（タッチパネルモニタ９３およびカメラ９１）を制御すればよい。例えば、ユーザが有料会員である場合のみ、全身を撮影するコースが利用可能になるようにすればよい。また、撮影制御部３１２は、撮影の制御において、ユーザが有料会員の場合はカメラ９１が撮影する画像の画質（例えば解像度）を向上させる、または撮影枚数（撮影回数）もしくは撮影時間（撮影制御の制限時間）を増加させることとしてもよい。また、撮影制御部３１２は、ユーザが有料会員である場合は、その他の撮影条件（背景、写真の形、縦横比など）を変更可能としてもよい。
【０３００】
また、編集制御部３１３は、画像編集の制御において、ユーザが有料会員の場合は所定の落書きコンテンツをユーザが利用できるように編集部１２（タブレット内蔵モニタ１３１およびタッチペン１３２Ａおよび１３２Ｂ）を制御してもよい。換言すると、編集制御部３１３は、ユーザが有料会員の場合は落書き（合成用画像）の種類を増やしてもよい。また、編集制御部３１３は、ユーザが有料会員の場合は、無料会員と比べて、編集作業の制限時間（落書き、スタンプなどを利用可能な時間）を増加させてもよい。
【０３０１】
また、印刷制御部３１４は、ユーザが有料会員の場合は無料会員の場合より多くの画像レイアウト（シール紙に印刷する際の画像のコマ割）を選択可能としてもよい。
【０３０２】
また、事後接客制御部３１５は、ユーザが有料会員の場合は撮影（および編集）した画像を全て管理サーバ４に送信可能としてもよい。この場合、事後接客制御部３１５は、タブレット内蔵モニタ１６１に、管理サーバ4に送信する画像を選択する画面を表示しなくてもよい。
【０３０３】
このように、写真シール作成装置１において有料会員と無料会員とでサービスの差別化を行うことにより、写真シール作成装置１は、無料会員であるユーザに、有料会員として登録する動機を与えることができる。
【０３０４】
なお、ユーザ認証に失敗したか、またはユーザ認証に係る操作を行わなかった場合、記憶部２０２には会員情報が保持されない。この場合、上記各工程の少なくともいずれかにおいて、ユーザの会員種別は「非会員」として扱い、有料会員および無料会員と、さらに異なるオプションを提供することとしてもよい。
【０３０５】
このように、ユーザの会員種別に応じて、写真シール作成装置１の写真シール作成ゲームの各工程においてユーザが利用可能なオプションを決定することにより、写真シール作成装置１を利用するユーザ個々人に適したサービスを提供することができる。
【０３０６】
なお、写真シール作成装置１は、ユーザが有料会員であるか無料会員であるかによって、写真シール作成ゲームの撮影工程、編集工程、事後接客工程、および印刷工程の少なくともいずれかにおいて、画面シーケンス（画面遷移）を変更してもよい。例えば、有料会員は写真シール作成装置１に追加料金を投入し写真シール作成装置１で所定の操作を行うことで、管理サーバ４上の画像データベース４２４に保存している過去の画像を写真シール作成装置１で印刷できることとしてもよい。
【０３０７】
また、ユーザが有料会員である場合は、上述の通り管理サーバ４の一時保存データベースに無制限に撮影画像を保存可能としてもよい。この場合、写真シール作成装置１は携帯端末６へ送信する画像を選択する画面を設けなくてもよい。また、ユーザが有料会員である場合は、無料会員または非会員に比べて高解像度の画像を一時保存データベースへ送信（アップロード）可能としてもよい。
【０３０８】
〔実施形態２〕
（グループにおけるユーザ認証）
本発明に係る写真シール作成装置は、上記第１実施形態にて説明したユーザ認証を、グループ内の各ユーザに対して行ってもよい。ここで、「グループ」とは、写真シール作成装置１で一緒に（同じゲーム内で）写真を撮るユーザ１名以上の集団を示す。以降の説明でも同様である。以下、本発明の第２実施形態について、図２１を参照して説明する。
【０３０９】
本実施形態に係る写真シール作成装置１は、上記第１実施形態にて説明したユーザ認証を所定の期間受け付けて、所定の期間内において、ユーザ認証が成功したことにより得た会員情報（またはユーザ認証の結果自体）を、グループ単位で記憶部２０２に記憶する点で、実施形態１に係る写真シール作成装置１と異なる。
【０３１０】
なお、ここで、「所定の期間」とは、グループ内のいずれかのユーザがユーザ認証を開始してから、当該グループの全ユーザがユーザ認証を終了することができる程度の時間、または、タッチパネル９３に対し、ユーザにより、グループ単位でのユーザ認証の開始が指示されてから、当該グループ単位でのユーザ認証の終了、またはゲームの次工程の開始が指示されるまでの期間を示す。
【０３１１】
本実施形態に係る認証制御部３１６は、上記所定の期間内、サブカメラ９１から受信したコード画像それぞれについて、二次元コードの抽出、認証コードの特定、ユーザ認証の要求および認証結果の受信を行う。そして、認証制御部３１６は、上記所定の期間中に行ったユーザ認証の結果を保持する。
【０３１２】
（実施形態２の変形例）
≪１：会員人数に応じたオプションの提供≫
なお、本実施形態に係る写真シール作成装置１は、グループ内でユーザ認証が成功した人数に応じて、写真シール作成ゲームまたは画像提供サイトにて提供するオプションを決定してもよい。この場合、本実施形態に係る認証制御部３１６（認証回数計測手段）は、所定の期間内に管理サーバ４から認証成功の通知を受けた（会員情報を得た）回数を、計測および記憶すればよい。これにより、認証制御部３１６は、グループ内の会員ユーザの人数を把握できる。
【０３１３】
なお、認証制御部３１６は、認証成功か否かに加え、認証が成功したユーザの会員情報（に含まれる情報）が所定の条件を満たす人数を計測してもよい。より具体的には、認証制御部３１６は、ユーザ認証が成功し、かつ会員種別が有料会員であるユーザの人数を計測してもよい。以降の説明では、一例として、認証制御部３１６が、所定の期間内にユーザ認証が成功し（会員情報を得た）、かつ会員種別が有料会員であるユーザの人数（会員情報の数）を計測する例について説明する。
【０３１４】
≪ユーザ認証および有料会員数を特定する処理の流れ≫
図２１は、本発明の第２実施形態において、ユーザ認証および有料会員数を特定する処理の流れを示すシーケンス図である。なお、図２１のステップＳ１１８〜Ｓ１３２までの処理は、図２０のステップＳ１１８〜Ｓ１３２までの処理と同様の処理であるので、説明を割愛する。
【０３１５】
写真シール作成装置１の認証結果受信部３１６Ｃは、図２１のステップＳ１３０において認証結果（認証が成功した場合は、認証結果と会員情報）を管理サーバ４の認証部４１５から受信する。ここで、認証制御部３１６は、上記受信した認証結果が成功か否かをまず判定する（ステップＳ１３４）。
【０３１６】
認証が成功である場合、認証制御部３１６は、さらに、受信した会員情報に含まれる会員種別を参照する。ここで、会員種別が有料会員である場合（ステップＳ１３６でＹＥＳ）、認証制御部３１６は、自己が保持する有料会員の人数（のカウント）を１増加させる（ステップＳ１３８）。一方、上記受信した認証結果が認証失敗を示す場合（ステップＳ１３４でＮＯ）、または、認証成功であるが有料会員でない場合（ステップＳ１３４でＹＥＳ、かつステップＳ１３６でＮＯ）は、ステップＳ１３８の処理は行わない。
【０３１７】
以降、認証制御部３１６は、所定の期間が経過するまで、各ユーザのユーザ認証を受け付ける（ステップＳ１４０でＮＯ）。一方。所定の期間が経過すると（ステップＳ１４０でＹＥＳ）、認証制御部３１６は、グループに対するユーザ認証を終了する。
【０３１８】
≪２：会員種別毎の人数（組合せ）に応じたサービス提供≫
なお、認証制御部３１６は、認証が成功したユーザの会員種別をそれぞれ判定し、グループ単位で、当該グループに含まれる会員ユーザの会員種別毎の人数を計測し、記憶部２０２に記憶させてもよい。そして、写真シール作成装置１は、上記会員種別毎の人数に応じて、写真シール作成ゲームまたは画像提供サイトにて提供するオプションを決定してもよい。
【０３１９】
この場合、本実施形態に係る写真シール作成装置１の制御部２０１（撮影制御部３１２、編集制御部３１３、印刷制御部３１４、事後接客制御部３１５の少なくともいずれか）は、写真シール作成ゲームの各工程の少なくともいずれかにおいて、記憶部２０２にグループ単位で保持されている、会員種別毎のユーザの人数を参照する。そして、制御部２０１は、上記会員種別毎の人数が特定の条件を満たした場合、当該グループの各ユーザが利用可能なオプションを増加または減少させてもよい。
【０３２０】
例えば、グループにヘビーユーザ会員（写真シール作成ゲームの利用頻度が高い会員）が１名以上含まれる場合、編集制御部３１３は、グループにヘビーユーザ会員が含まれない場合に比べ、ユーザが選択可能な落書きを増やす、または、ヘビーユーザ専用の落書きを使用可能としてもよい。
【０３２１】
また、例えば、グループ内の有料会員の人数より無料会員の人数の方が多い場合、編集制御部３１３は、グループ内の有料会員の人数が無料会員の人数より多い場合に比べ、ユーザが選択可能な落書きを減らす、または、特定の落書きを選択不可能としてもよい。
【０３２２】
このように、写真シール作成装置１は、ユーザ認証に成功したユーザの会員種別毎の人数（会員種別の組合せ）が特定の条件を満たす場合に提供するオプションを変更することにより、ユーザに特定の会員種別（例えば、有料会員やヘビーユーザ会員）になる動機を与えることができる。
【０３２３】
さらに、写真シール作成装置１は、グループ内で会員認証に成功したユーザの組合せを示す情報（組合せ情報）を管理サーバ４に送信し、管理サーバ４に組合せ情報を保存させてもよい。また、管理サーバ４は、上記組合せ情報に基づいて、上記組合せ情報に含まれるユーザに対し、画像提供サイトの所定のサービスを提供してもよい。
【０３２４】
例えば、有料会員のユーザＡと無料会員のユーザＢとが写真シール作成ゲームを行った場合、管理サーバ４は、組合せ情報を一定期間保存しておき、その期間中（例えば、ゲーム終了後１週間以内）に、ユーザＢから有料会員登録の指示があった場合（ユーザＢが有料会員登録した場合）、ユーザＢと共にゲームを行ったユーザＡに対し、追加のサービスまたは特典（クーポンやポイントなど）を提供してもよい。
【０３２５】
≪３：グループ全体のユーザ数を特定する≫
なお、本実施形態に係る撮影制御部３１２（撮影人数計測手段）は、撮影の制御（図１４のステップＳ２）において、カメラ９１に撮影させて得られた人物画像から、当該人物画像に映っている人数を特定してもよい。なお、上記人物画像は、写真シール作成ゲームにて印刷するための人物画像（本番の撮影画像）でも良いし、試し撮りの撮影画像であってもよい。
【０３２６】
ここで、人物画像に映っている人数は、例えば従来から在る顔認識の技術などを利用して特定することができる。なお、撮影制御部３１２は、人物画像に映っている人数を特定できれば、どのような技術を用いて上記人数を特定してもよい。
【０３２７】
具体的には、写真シール作成装置１の制御部２０１は、撮影制御部３１２、編集制御部３１３、印刷制御部３１４、および事後接客制御部３１５の少なくともいずれかにおける処理制御において、上記グループ全体の人数と、記憶部２０２に記憶されているグループ内の会員ユーザ数（またはグループ内の特定の会員種別のユーザ数）とを比較し、当該比較結果に応じて、写真シール作成ゲームまたは画像提供サイトにおいて、ユーザに提供するオプションを決定してもよい。
【０３２８】
これにより、写真シール作成装置１は、写真シール作成装置１を利用しているグループに含まれるユーザの人数（非会員、すなわち未認証のユーザを含めた、グループ全体の人数）を把握することができる。さらに、写真シール作成装置は、上述の通りグループ内の会員ユーザ数も把握することができるので、グループ全体の人数と、グループ内の会員ユーザ数とを比較することにより、グループ内にユーザ認証を行わなかったユーザが居るか否かも把握することができる。
【０３２９】
そのため、例えば非会員のユーザ（ユーザ認証を行わなかった、またはユーザ認証に失敗したユーザ）が居る場合は、ユーザに提供するオプションを減らす（選択肢を少なくする）など、グループ内の会員ユーザの数または割合に応じて、サービスを差別化することができる。そのため、写真シール作成装置１は、非会員のユーザに会員登録する動機を与えることができる。
【０３３０】
より具体的には、例えば、編集制御部３１３は、撮影制御部３１２が特定したグループ全体の人数と、有料会員の人数とが一致する場合、すなわち、写真シール作成ゲームを行っているユーザ全員が有料会員である場合に、当該グループが、特別な落書きコンテンツや合成用画像を利用可能となるように、編集部１２を制御してもよい。
【０３３１】
このように、写真シール作成装置１は、グループ内のユーザが全員有料会員である場合にユーザにメリット（特別なオプションの提供など）を与えることにより、グループ内の無料会員のユーザに、有料会員として登録する動機をより強く与えることができる。
【０３３２】
〔実施形態３〕
さらに、本発明に係る写真シール作成装置は、非会員のユーザに、自機から画像提供サイトへの会員登録を行わせてもよい。以下、本発明の第３実施形態について図２２を用いて説明する。
【０３３３】
図２２は、本発明の第３実施形態に係る写真シール作成装置２に備えられる制御部７０１の詳細な構成例を示す機能ブロック図である。なお、以下の説明では、写真シール作成装置１は非会員のユーザの無料会員登録に係る処理を行うこととするが、写真シール作成装置１は、有料会員登録に必要な事項がユーザにより入力された場合は、当該ユーザの有料会員登録に係る処理を行ってもよい。
【０３３４】
本実施形態に係る写真シール作成装置２の制御部７０１は、図示の通り、登録制御部７１７を備える。なお、本実施形態に係る写真シール作成装置２においては、実施形態１にて説明したユーザ認証（図１４のステップＳ１００、図２１）は必須ではない。したがって、写真シール作成装置２は、図２２に示す認証制御部３１６（コード特定部３１６Ａ、認証要求部３１６Ｂ、および認証結果受信部３１６Ｃ）と、サブカメラ９１Ａとを必ずしも設けていなくてもよい。
【０３３５】
登録制御部７１７は、画像提供サイトの会員登録に係る処理を行うものである。登録制御部７１７は、写真シール作成ゲームの各工程の少なくともいずれかにおいて、制御部７０１が各種モニタから会員登録を示す入力信号を受信した場合に、画像登録に係る処理を制御する。
【０３３６】
なお、ここで言う「各種モニタ」とは、写真シール作成装置１においてユーザの入力指示を受け付ける部材を示す。すなわち、各種入力装置とは、タッチパネルモニタ９３、タブレット内蔵モニタ１３１、タブレット内蔵モニタ１６１のいずれかを示す。
【０３３７】
登録制御部７１７は、各種モニタに、会員登録に必要な事項（必要事項）を入力するための入力フォームを表示させ、ユーザにより当該入力フォームに必要事項が入力（および、当該入力が確定）されると、上記必要事項を管理サーバ４に送信する。なお、このとき、登録制御部７１７は、上記必要事項を記憶部２０２に格納してもよい。
【０３３８】
なお、「必要事項」とは、ユーザ特定情報を少なくとも含む情報である。必要事項の一例としては、ユーザの名前（ニックネーム）、パスワード、メールアドレス、性別、生年月日、居住地域（住所）などが挙げられる。
【０３３９】
（会員登録処理の流れ）
次に、写真シール作成装置２および管理サーバ４における会員登録処理の流れを説明する。なお、以下の説明では、事後接客の工程（図１４のステップＳ５）において、ユーザにメールアドレスを入力させるときに会員登録を行う例を説明する。
【０３４０】
しかしながら、会員登録は、写真シール作成ゲームの開始から終了までの間（図１４のステップＳ１〜Ｓ６の間）に行われればいつ行われてもよい。例えば、写真シール作成装置１は、写真シール作成ゲームの写真撮影の工程（図１４のステップＳ２）において、ユーザに必要事項を入力させ、会員登録処理を行ってもよい。
【０３４１】
事後接客制御部３１５は、事後接客の工程が開始すると、会員登録を行うか否かを選択する画面をタブレット内蔵モニタ１６１に表示させる。ここで、ユーザにより、会員登録を行わない旨の選択がなされた場合、事後接客制御部３１５は、メールアドレスの入力画面、および、送信する画像の選択画面をタブレット内蔵モニタ１６１に表示させる。以降、事後接客制御部３１５は、実施形態１にて説明した事後接客に関する制御を行う（図１４のステップＳ５）。より具体的には、事後接客制御部３１５は、人物画像（編集済みの画像を含む）の選択画面をタブレット内蔵モニタ１６１に表示させ、ユーザに、管理サーバ４に送信したい画像を選択させる。
【０３４２】
一方、会員登録を行う旨の選択がなされた場合、事後接客制御部３１５は登録制御部７１７に対し、会員登録処理の開始を通知する。登録制御部７１７は上記通知を受けて、タブレット内蔵モニタ１６１に、必要事項を入力するための入力フォームを表示させる。
【０３４３】
ここで、ユーザにより当該入力フォームに必要事項が入力され、確定されると、タブレット内蔵モニタ１６１は、入力された必要事項を登録制御部７１７へと送信する。登録制御部７１７は、上記必要事項を受信すると、これを通信制御部３１１および通信部２０３を介し、管理サーバ４へと送信する。
【０３４４】
管理サーバ４の通信制御部４１１は、会員登録の必要事項を写真シール作成装置１から受信すると、会員データベース４２２にユーザ用のアカウント領域を作成し、当該アカウント領域に、会員情報として上記必要事項を保存する。なお、このとき、管理サーバ４は、ユーザを一意に特定する情報（例えば会員ＩＤ）を生成し、当該必要事項に紐付けて記憶させてもよい。
【０３４５】
そして、管理サーバ４は、会員登録が完了した旨の通知を、写真シール作成装置１に送信する。写真シール作成装置１の登録制御部７１７は上記通知を受けると、当該通知を事後接客制御部３１５に送信する。事後接客制御部３１５は、会員登録が完了したことを示す画面をタブレット内蔵モニタ１６１に表示させる。
【０３４６】
なお、管理サーバ４は、会員登録の完了後、写真シール作成装置２に対し、画像提供サイトへのアクセスを許可してもよい。そして、写真シール作成装置２は、自機の各種モニタを用いて、画像提供サイトの各種データをユーザが閲覧および編集可能にしてもよい。
【０３４７】
また、写真シール作成装置２は、会員登録時にユーザにより入力された必要事項（会員情報）を、写真シール作成ゲームの以後の工程（例えば、事後接客の工程および印刷工程）のサービス提供に利用してもよい。例えば、事後接客の工程においてアンケートを行い、会員登録により作成されたアカウントからの回答として管理サーバ４に送信してもよい。
【０３４８】
上記処理により、写真シール作成装置２は、写真シール作成ゲームを行う間に、非会員のユーザに自機から会員登録を行わせることができる。これにより、写真シール作成装置１は、写真シール作成ゲームと別個に会員登録を行うというユーザの手間を省くことができる。また、写真シール作成装置２から画像提供サイトにログインすることができる。
【０３４９】
なお、本実施形態に係る写真シール作成装置２は、ユーザが画像提供サイトの会員でない場合など、実施形態１にて説明した二次元コードによるユーザ認証を行うことができない場合、ユーザに必要事項を入力させることにより、ユーザ認証に利用できる情報（例えば、実施形態１にて説明した二次元コードなど）をユーザの携帯端末６に取得させてもよい。
【０３５０】
例えば、写真シール作成装置２は、ユーザがユーザ認証を行わなかった（例えば、携帯端末６の表示面の撮影を行わなかった）場合、編集部１２のタブレット内蔵モニタ１３１や、事後接客部１３のタブレット内蔵モニタ１６１にユーザの個人情報を入力させる画面を表示する。
【０３５１】
ここで、上記画面の案内に従いタブレットに個人情報が入力された場合は、写真シール作成装置２は、上記個人情報から会員認証用の情報（二次元コードなど）を生成し、編集部１２のタブレット内蔵モニタ１３１または事後接客部１３のタブレット内蔵モニタ１６１に表示させる。
【０３５２】
そして、携帯端末６はユーザの指示操作に応じて、上述のモニタに表示された会員認証用の情報を取得する。例えば、携帯端末６はユーザの指示操作に応じて上述のモニタに表示された会員認証用の情報を撮影することにより、当該情報を取得する。または、携帯端末６はユーザの指示操作に応じて、上述のモニタに表示された会員認証用の情報を所定のアプリケーション（例えば、二次元コードのデコードを行うアプリケーション）等で読み取ることにより、上記会員認証用の情報を取得する。
【０３５３】
なお、携帯端末６は、写真シール作成装置１と通信を行い、上記会員認証用の情報を取得してもよい。この場合、写真シール作成装置１は、上述のモニタに会員認証用の情報を必ずしも表示しなくてもよい。
【０３５４】
以後、携帯端末６は取得した会員認証用の情報を用いて、写真シール作成装置２を介して（または管理サーバ４と直接）ユーザ認証を行うことができる。
【０３５５】
例えば、携帯端末６は、上述のようにユーザが個人情報を入力することによりモニタに表示される二次元コードを撮影し、当該撮影画像を、管理サーバ４から発行される二次元コードの代わりとして用いて、写真シール作成装置２にユーザ認証を行わせることができる。
【０３５６】
（実施形態３の変形例）
≪１：会員登録時に画像認証情報を登録する≫
なお、本実施形態に係る写真シール作成装置２は、写真シール撮影ゲームの写真撮影工程において、カメラ９１（またはサブカメラ９１Ａ）により、画像認証に係る情報（画像認証情報）を取得し、会員登録の際に、ユーザにより入力された必要事項とともに、当該画像認証情報を管理サーバ４へと送信してもよい。また、本実施形態に係る管理サーバ４は、上記画像認証情報を会員情報としてユーザのアカウント領域に保存してもよい。
【０３５７】
ここで、画像認証情報とは、画像解析によりユーザを特定するための、当該ユーザ固有の身体的特徴を示す情報である。画像認証情報の具体例としては、ユーザの顔認識を行うための情報（顔のパーツの位置関係、大きさ、肌色、虹彩など）や、ユーザの指紋認証を行うための情報が挙げられる。
【０３５８】
本変形例の場合、写真シール作成装置２の制御部７０１は、特徴量抽出部７１８（特徴量抽出手段）を備える。特徴量抽出手段７１８は画像認証情報を抽出するものである。本変形例では、カメラ９１（またはサブカメラ９１Ａ）は、ユーザの顔または指紋などを撮影することにより、画像認証情報を生成するための画像（認証用画像）を撮影し、特徴量抽出部７１８に送信する。なお、認証用画像は、未加工の（ユーザにより編集が行われていない）撮影画像であることが望ましい。
【０３５９】
特徴量抽出部７１８は、カメラ９１（またはサブカメラ９１Ａ）から、認証用画像を受信すると、当該画像を解析することにより、画像認証情報を生成する。生成された画像認証情報は、登録制御部７１７に送信される。そして、登録制御部７１７は、会員登録処理の際に、ユーザが入力した必要事項に上記画像認証情報を対応づけて管理サーバ４に送信する。管理サーバ４は、受信した画像認証情報を、上記必要事項とともに、会員情報としてユーザのアカウント領域に保存する。
【０３６０】
なお、本変形例は、特徴量抽出部７１８にて画像認証情報を抽出するのではなく、登録制御部７１７がユーザにより入力された必要事項とともに上記認証用画像を管理サーバ４に送信し、管理サーバ４にて画像認証情報の生成を行う構成であってもよい。
【０３６１】
また、写真シール作成装置２は、すでに会員登録しているが、画像認証情報を登録していないユーザについても、認証用画像の撮影、画像認証情報の生成および管理サーバ４への送信を行ってもよい。なお、この場合、当該ユーザがユーザ認証を行っていた場合は、会員登録処理における必要事項の入力は省いてよい。これにより、携帯端末６から画像提供サイトの会員登録を行ったユーザであっても、画像認証情報を生成し、管理サーバ４（会員データベース４２２）に登録することができる。
【０３６２】
さらに、写真シール作成装置２は、一度会員登録（および画像認証情報の登録）を済ませたユーザについては、上記各実施形態で説明したユーザ認証を行う代わりに、カメラ９１（またはサブカメラ９１Ａ）により、ログイン用に認証用画像を撮影し（ログイン用画像を撮影し）、当該ログイン用画像から生成した特徴量を用いてユーザ認証を行ってもよい。ここで、「特徴量」とは、ユーザの身体または身体の一部から抽出された、当該ユーザを特定するための情報である。特徴量は、上述した画像認証情報と同様の手法で特徴量抽出部７１８が生成することができる。また、「ログイン用画像」も認証用画像と同様、未加工の（ユーザにより編集が行われていない）撮影画像であることが望ましい。
【０３６３】
より詳しくは、特徴量抽出部７１８は、カメラ９１またはサブカメラ９１Ａからログイン用画像を受信すると、画像認証情報を生成する方法と同様の方法で特徴量を生成し、認証制御部３１６の認証要求部３１６Ｂに送信する。認証要求部３１６Ｂは、特徴量抽出部７１８が抽出した特徴量を管理サーバ４に送信するとともに、管理サーバ４にユーザ認証を要求する。そして、管理サーバ４は、管理サーバ４において保存している、ユーザの画像認証情報と、受信した特徴量とを照合する。
【０３６４】
ここで、特徴量と画像認証情報とが合致する場合、管理サーバ４は、ユーザ認証が成功した旨（および当該ユーザの会員情報）を認証結果受信部３１６Ｃに送信する。一方、特徴量と画像認証情報とが合致しない場合、管理サーバ４は、ユーザ認証が失敗した旨を認証結果受信部３１６Ｃに通知する。なお、管理サーバ４は、ユーザ認証に成功した場合、写真シール作成装置２に対し、画像提供サイトへのアクセスを許可してもよい。そして、写真シール作成装置２は、自機の各種モニタを用いて、画像提供サイトの各種データをユーザが閲覧および編集可能にしてもよい。
【０３６５】
ここで、画像認証情報は、上述のように管理サーバ４において、ユーザ認証の基準として用いられる情報である。一方、特徴量は、上述のように画像認証情報と照合し、照合結果（認証の可否）を得るための情報である。したがって、特徴量は、画像認証情報との照合結果の判定精度が落ちない程度の精度の情報であればよく、画像認証情報に比べ、算出精度を落とした情報であっても構わない。
【０３６６】
以上の処理により、写真シール作成装置２はユーザに、自機からユーザ認証（画像提供サイトへのログイン）をさせることができる。ここで、上記特徴量を用いたユーザ認証では、ユーザはログイン用画像を撮影するだけで、ユーザ認証を行うことができる。すなわち、ユーザは、画像提供サイトへの事前のログイン、または、写真シール作成装置２における必要事項の入力を行わずとも、ユーザ認証および画像提供サイトへのログインを行うことができる。したがって、例えばＩＤやパスワードを忘れたユーザであっても、ユーザ認証および画像提供サイトへのログインが可能になるという効果を奏する。
【０３６７】
また、写真シール作成装置２は、ユーザにログイン用画像の撮影を行わせるだけで、当該ログイン用画像からユーザ認証を行うことにより会員情報を得ることができる。そして、写真シール作成装置２は、写真シール作成ゲームの各工程（例えば、写真撮影、編集、事後接客の工程など）において、得られた会員情報に応じたサービスを提供することができる。
【０３６８】
≪２：画像認証情報の利用≫
さらに、本実施形態に記載の管理サーバ４は、画像認証情報としてユーザの顔認識に係る情報を保存している場合で、かつ、携帯端末６から撮影画像の保存の指示を受信したとき、撮影画像に、当該撮影画像の保存を指示したユーザが含まれているか（ユーザの顔が写っているか）否かを判定してもよい。
【０３６９】
より詳しくは、管理サーバ４の制御部４０１（サーバ特徴量抽出手段、人物判定手段）は、写真シール作成装置２から撮影画像およびメールアドレスを受信すると、会員データベース４２２を検索し、当該メールアドレスに対応するユーザの会員情報に含まれる、画像認証情報を読み出す。なお、当該ユーザに対応する画像認証情報が保存されていない場合は、以降の処理は行わなくてもよい。
【０３７０】
管理サーバ４は、メールアドレスに対応するユーザの画像認証情報を特定すると、次に、受信した撮影画像を解析することにより、当該撮影画像に含まれる人物の顔を特定およびそれぞれの顔の特徴量を算出し、各特徴量と、上記画像認証情報と比較照合する。
【０３７１】
ここで、いずれかの特徴量と画像認証情報とが合致する場合、すなわち、撮影画像に含まれる顔の中にユーザの顔が含まれている場合は、制御部４０１は当該撮影画像を画像データベース４２４のユーザの画像記憶領域に保存する。一方、いずれの特徴量とも画像認証情報が合致しない場合、すなわち、撮影画像に含まれる顔の中にユーザの顔が含まれていない場合、制御部４０１は当該画像をユーザの画像記憶領域に保存するとともに、メール作成部４１２（通知手段）から、当該ユーザのメールアドレス宛てに、ユーザと関係のない画像が保存された旨の警告を含む警告メールを送信する。
【０３７２】
なお、撮影画像に含まれる顔の中にユーザの顔が含まれていない場合、制御部４０１は当該画像をユーザの画像記憶領域に保存せず、メール作成部４１２は、ユーザと関係のない画像である旨の警告と、撮影画像を保存するか否かを再確認する、または画像の保存を拒否する旨とを含む警告メールを送信してもよい。
【０３７３】
さらに、管理サーバ４の制御部４０１は、撮影画像に含まれる顔の中にユーザの顔が含まれていない場合、当該撮影画像に含まれる人物の顔（ユーザと別人の顔）を、所定の画像（落書きやスタンプ）、または上記ユーザ自身の顔に置き換える加工を施し、加工後の画像をユーザの画像記憶領域に保存してもよい。
【０３７４】
以上の処理によると、管理サーバ４は、写真シール作成装置２から受信した撮影画像の作成者であるユーザが、当該撮影画像に含まれている（写っている）か否かを把握することができる。そして、管理サーバ４は、上記画像にユーザが含まれていない（写っていない）場合、ユーザにその旨を通知することができる。
【０３７５】
したがって、管理サーバ４はユーザに、撮影画像がユーザに関係するか否かを把握していることを示すことができる。これにより、管理サーバ４は、ユーザがユーザ自身と無関係の写真をサーバに保存する可能性を低減できる。
【０３７６】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０３７７】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０３７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３７９】
本発明は、写真シール作成装置において作成されたユーザの撮影画像を管理サーバに保存する撮影画像管理システムとして、幅広く利用することができる。
【符号の説明】
【０３８０】
１  写真シール作成装置（写真撮影編集装置）
２  写真シール作成装置（写真撮影編集装置）
４  管理サーバ（サーバ）
６  携帯端末（ユーザ端末）
１１  撮影ユニット
１２  編集部
１３  事後接客部
２１  撮影部
２０  認証システム
９１  カメラ
９１Ａ  サブカメラ（カメラ）
２０１  制御部（ゲーム提供手段）
３１１  通信制御部
３１２  撮影制御部（撮影人数計測手段）
３１３  編集制御部
３１４  印刷制御部
３１５  事後接客制御部
３１６  認証制御部（ユーザ情報取得手段、認証回数計測手段）
３１６Ａ  コード特定部
３１６Ｂ  認証要求部
３１６Ｃ  認証結果受信部（認証結果取得手段）
４０１  制御部（サーバ特徴量抽出手段、人物判定手段）
４０２  記憶部
４０３  通信部
４１１  通信制御部
４１２  メール作成部（通知手段）
４１３  ウェブページ作成部
４１３Ａ  コード生成部
４１４  画像管理部
４１５  認証部（ユーザ情報受信手段、認証結果送信手段）
４１５Ａ  照合部（認証手段）
４２２  会員データベース
６０１  制御部
６０２  記憶部
６０３  通信部
６０４  入力部
６０５  表示部
６１１  通信制御部
６１２  入力制御部
６１３  表示制御部
７０１  制御部
７１７  登録制御部
７１８  特徴量抽出部（特徴量抽出手段）
１０５２  二次元コード
【図１】
2015179221.tif 000003
【図２】
2015179221.tif 000004
【図３】
2015179221.tif 000005
【図４】
2015179221.tif 000006
【図５】
2015179221.tif 000007
【図６】
2015179221.tif 000008
【図７】
2015179221.tif 000009
【図８】
2015179221.tif 000010
【図９】
2015179221.tif 000011
【図１０】
2015179221.tif 000012
【図１１】
2015179221.tif 000013
【図１２】
2015179221.tif 000014
【図１３】
2015179221.tif 000015
【図１４】
2015179221.tif 000016
【図１５】
2015179221.tif 000017
【図１６】
2015179221.tif 000018
【図１７】
2015179221.tif 000019
【図１８】
2015179221.tif 000020
【図１９】
2015179221.tif 000021
【図２０】
2015179221.tif 000022
【図２１】
2015179221.tif 000023
【図２２】
2015179221.tif 000024